(57)【要約】  本発明は、眼鏡フレーム用の眼鏡ヒンジ(10, 50, 100, 150, 200)であって、前記眼鏡フレームのリムに帰属する第１のヒンジ部(12)と、前記眼鏡フレームの眼鏡テンプルに帰属する第２のヒンジ部(14)と、を備え、前記ヒンジ部(12, 14)は、２つの前記ヒンジ部(12, 14)に固定された少なくとも１つのバネ要素(16, 102, 104, 216)によって互いに可動に連結されており、前記バネ要素(16, 102, 104, 216)は好ましくは環状に閉じられ及び／又はゴム弾性を有するように形成されているものに関する。更に、本発明は、ヒンジセット、眼鏡フレーム、眼鏡フレームセット及びバネ要素の使用に関する。【選択図】図５
2020533651.tif 000002
【特許請求の範囲】
【請求項１】
眼鏡フレーム用の眼鏡ヒンジ(10, 50, 100, 150, 200)であって、前記眼鏡フレームのリムに帰属する第１のヒンジ部(12)と、前記眼鏡フレームの眼鏡テンプルに帰属する第２のヒンジ部(14)と、を備え、前記ヒンジ部(12, 14)は、２つの前記ヒンジ部(12, 14)に固定された少なくとも１つのバネ要素(16, 102, 104, 216)によって互いに可動に連結されており、前記バネ要素(16, 102, 104, 216)は好ましくは閉じられ且つゴム弾性を有するように形成されており、２つの前記ヒンジ部(12, 14)は好ましくはピン状及び／又はフック状のそれぞれ１つの保持要素(18, 218)を含み、当該保持要素の周りには前記バネ要素(16, 102, 104, 216)が少なくとも部分的に巻き付けられており、それぞれの前記保持要素(18, 218)はそれぞれの前記ヒンジ部(12, 14)と一体に及び／又は統合されて形成されている、眼鏡ヒンジ(10, 50, 100, 150, 200)。
【請求項２】
２つの前記ヒンジ部(12, 14)は、前記バネ要素(16, 102, 104, 216)によって、その可動な接続のために互いに張力をかけられている、請求項１に記載の眼鏡ヒンジ(10, 50, 100, 150, 200)。
【請求項３】
前記ヒンジ部(12, 14)のうちの一方は収容領域(24)を備え、前記収容領域(24)上において前記ヒンジ部(12, 14)のうちの他方の対応する転動領域(22)がヒンジ運動中に転動及び／又は摺動する、請求項１又は２に記載の眼鏡ヒンジ(10, 50, 100, 150, 200)。
【請求項４】
前記収容領域(24)及び／又は前記転動領域(22)は、それぞれ少なくとも２つの接触面(36)、特に実質的に平坦な接触面(36)を備え、前記接触面(36)は互いに75°〜105°、好ましくは87°〜93°の角を有する、請求項３に記載の眼鏡ヒンジ(10, 50, 100, 150, 200)。
【請求項５】
前記ヒンジ部(12, 14)のうちの一方が、前記ヒンジ部(12, 14)のうちの他方に対して、前記眼鏡ヒンジ(10, 50, 100, 150, 200)がその収納位置と使用位置との間で位置調整され得るよう、実質的に運動平面内で運動し得るように形成されている、請求項１〜４のいずれか１項に記載の眼鏡ヒンジ(10, 50, 100, 150, 200)。
【請求項６】
前記ヒンジ部(12, 14)、特に前記収容領域(24)及び／又は前記転動領域(22)は、前記眼鏡ヒンジ(10, 50, 100, 150, 200)を、前記収納位置及び／又は前記使用位置において、特に少なくとも１つのストッパー(28, 52, 110)及び／又は前記収容領域(24)及び／又は前記転動領域(22)の係止面(36)によって安定化させるように形成されている、請求項１〜５のいずれか１項に記載の眼鏡ヒンジ(10, 50, 100, 150, 200)。
【請求項７】
前記眼鏡ヒンジ(10, 50, 100, 150, 200)は、第１のヒンジ位置領域において、特に前記運動平面内の第１の角度範囲において、前記バネ要素(16, 102, 104, 216)によって自動的に前記収納位置に位置調整されるように形成されている、
及び／又は 
前記眼鏡ヒンジ(10, 50, 100, 150, 200)は、第２のヒンジ位置領域において、特に前記運動平面内の第２の角度範囲において、前記バネ要素(16, 102, 104, 216)によって自動的に前記使用位置に位置調整されるように形成されている、
及び／又は
前記眼鏡ヒンジ(10, 50, 100, 150, 200)は、前記ヒンジ部(12, 14)の互いに対する前記運動平面内における運動が、前記収納位置及び／又は前記使用位置を超えて許容されるように形成されており、前記眼鏡ヒンジ(10, 50, 100, 150, 200)は、前記バネ要素(16, 102, 104, 216)によって自動的に前記収納位置又は前記使用位置に戻るように形成されている、請求項５又は６に記載の眼鏡ヒンジ(10, 50, 100, 150, 200)。
【請求項８】
前記眼鏡ヒンジ(10, 50, 100, 150, 200)は、少なくとも１つの自由度において最大限許容された運動領域を超えた場合に、前記バネ要素(16, 102, 104, 216)が、自動的に前記ヒンジ部(12, 14)のうちの少なくとも一方から緩むように形成されている、請求項１〜７のいずれか１項に記載の眼鏡ヒンジ(10, 50, 100, 150, 200)。
【請求項９】
前記バネ要素(16, 102, 104, 216)は、取り外し可能に、前記第１のヒンジ部(12)及び／又は前記第２のヒンジ部(14)と接続されている、請求項１〜８のいずれか１項に記載の眼鏡ヒンジ(10, 50, 100, 150, 200)。
【請求項１０】
前記第１のヒンジ部(12)及び／又は前記第２のヒンジ部(14)は、少なくとも１つの凹部(34, 106)、特に溝(34, 106)及び／又は１つの貫通開口を備え、前記凹部内には、前記バネ要素(16, 102, 104, 216)及び／又はそれぞれの保持要素(18, 218)が少なくとも部分的に配置されている、請求項１〜９のいずれか１項に記載の眼鏡ヒンジ(10, 50, 100, 150, 200)。
【請求項１１】
前記第１のヒンジ部(12)及び／又は前記第２のヒンジ部(14)は、特に凹部(34)におけるアンダーカット(54)の形態の少なくとも１つの支持要素(54)を備え、前記支持要素(54)には前記バネ要素(16, 216)が特定のヒンジ位置領域においてのみ支持されている、請求項１〜１０のいずれか１項に記載の眼鏡ヒンジ(10, 50, 100, 150, 200)。
【請求項１２】
前記ヒンジ部(12, 14)は、２つのヒンジ部(12, 14)にそれぞれ固定された少なくとも２つのバネ要素(102, 104)によって互いに可動に接続されており、
少なくとも２つのバネ要素(102, 104)は、前記第１のヒンジ部(12)及び／又は前記第２のヒンジ部(14)の凹部(106)内に一緒に配置されている、及び／又は、
前記少なくとも２つのバネ要素(102, 104)のうちの一方は、同一の伸びの下で、前記少なくとも２つのバネ要素(102, 104)のうちの他方とは異なるテンションを有する、請求項１〜１１のいずれか１項に記載の眼鏡ヒンジ(10, 50, 100, 150, 200)。
【請求項１３】
それぞれのピン状及び／又はフック状の保持要素(18)は、実質的に前記運動平面内を延びている、及び／又は、前記バネ要素(16, 102, 104)の前記リング形状によって定義される平面は前記運動平面に対して横方向に、特に垂直に延びている、
あるいは、
それぞれのピン状及び／又はフック状の保持要素(218)は、前記運動平面に対して斜めに、特に実質的に垂直に延びており、及び／又は、前記バネ要素(216)の前記リング形状によって定義される平面は、実質的に前記運動平面に対して平行に、特に前記運動平面内を延びている、請求項１〜１２のいずれか１項に記載の眼鏡ヒンジ(10, 50, 100, 150, 200)。
【請求項１４】
請求項１〜１３のいずれか１項に記載の眼鏡ヒンジ(10, 50, 100, 150, 200)を調整可能に形成するためのヒンジセットであって、
前記ヒンジセットは、形成されるべき前記眼鏡ヒンジ(10, 50, 100, 150, 200)を調整するために選択可能な複数の異なるバネ要素(16, 102, 104, 216)を含み、前記異なるバネ要素(16, 102, 104, 216)は、特に同一の伸びの下でのテンションに関して及び／又は伸ばされていない状態における長さに関して異なっており、
及び／又は
前記ヒンジセットは、形成されるべき前記眼鏡ヒンジ(10, 50, 100, 150, 200)を調整するために選択可能な複数の異なる第１のヒンジ部(12)及び／又は複数の異なる第２のヒンジ部(14)を含み、前記異なる第１及び／又は第２のヒンジ部(12, 14)は、特にそれらの収容領域(24)又は転動領域(22)の幾何学的形状に関して異なっている、ヒンジセット。
【請求項１５】
少なくとも１つの眼鏡レンズのためのリムと、２つの眼鏡テンプルと、請求項１〜１３のいずれか１項に記載の眼鏡ヒンジ(10, 50, 100, 150, 200)と、を有する眼鏡フレームであって、各眼鏡テンプルは、それぞれ２つの前記眼鏡ヒンジ(10, 50, 100, 150, 200)のうちの１つによって前記リムと可動に接続されている、眼鏡フレーム。
【請求項１６】
請求項１〜１３のいずれか１項に記載の眼鏡ヒンジ(10, 50, 100, 150, 200)、及び／又は、請求項１４に記載のヒンジセット、及び／又は、請求項１５に記載の眼鏡フレーム、及び／又は、眼鏡フレームセットにおける、特に環状に閉じられた、及び／又は、ゴム弾性を有するように形成されたバネ要素の使用。
【発明の詳細な説明】
【技術分野】
【０００１】
本発明は、眼鏡フレーム用の眼鏡ヒンジに関する。更に、本発明は、眼鏡ヒンジを調整可能に形成するためのヒンジセットに関する。それに加えて、本発明は、眼鏡フレーム及び眼鏡フレームセットに関する。そのうえ、本発明は、バネ要素の使用に関する。
【背景技術】
【０００２】
従来の眼鏡は、それぞれのレンズを保持するためのリムと、眼鏡を使用者の頭部に保持するための眼鏡テンプルと、を備えている。そのようなリムと、それぞれの眼鏡テンプルとの間には、大抵の場合、単純な蝶番が設けられている。この蝶番は、通常、特に小さなネジの形態のアクスルピン（Achsstift）によって連結されている。ネジは、蝶番の運動軸を規定している。ヒンジは、眼鏡を眼鏡装着者の頭部の上に載せることができるように、それぞれの眼鏡テンプルをこの運動軸の周りで開くことを可能とする。スペースを節約しつつ安全に眼鏡を収納するために、それぞれの眼鏡テンプルは、それらを一緒にリムの上に又はその近傍に折り畳むために、再び閉じることができる。それにより、眼鏡ははるかに平坦であり、例えば適切なケース内にスペースを節約して収納することができる。これはまた、テンプルが壊れたり、ヒンジが損傷を受けたりするリスクを減少させる。しかしながら、この蝶番は、開く際に過剰に伸展された場合、閉じる際に過剰に圧縮された場合、及び／又は、運動軸によって規定される運動平面に対して横方向に作用する力を受けた場合、容易に損傷を受ける可能性があるという点で不利である。それに加えて、そのような眼鏡ヒンジは、異なる装着者の個々のニーズに適合させることができず、最大限にギャップ及び／又は遊びがなく、眼鏡の確実な座りを保障するために、精密で費用のかかる製造を必要とする。
【０００３】
特許文献１から、少なくとも１つの金属製の連結クリップを用いて２つのヒンジ部が互いに連結された眼鏡ヒンジが公知である。このヒンジは、特定のヒンジ位置から使用位置及び収納位置に自動的にジャンプすることができるよう意図されている。それに加えて、ヒンジの特定の過剰伸長が、当該ヒンジが直接的に損傷を受けることなく可能となるよう意図されている。しかしながら、このヒンジにおいて不利なのは、組み立て及びメンテナンスに費用がかかることである。特に、過剰伸展及び／又は連結クリップの永久変形につながるヒンジの運動があった場合には、当該ヒンジはもはや容易に元の形状に戻ることはできない。その際、眼鏡の所有者は、場合によっては、眼鏡技師の下でのメンテナンスのために眼鏡を引き渡すことが必要である。最後に、ヒンジの機能性にも改良の余地がある。
【０００４】
デザイナーのフィリップ・スタルク（Philippe Starck）によっても、リムに対するそれぞれの眼鏡テンプルの運動を、単一の軸によって規定された運動平面の外側においても可能とするよう意図された眼鏡ヒンジが公知である。例えば、この眼鏡ヒンジの場合、それぞれの眼鏡テンプルは、直接的に眼鏡ヒンジの損傷に至ることなく、眼鏡のリムに対して下方へ又は上方へ回転され得るよう意図されている。そのために、この眼鏡ヒンジは、間に保持されたボールに支持された２つのヒンジ部を備えている。更に、ヒンジ部のうちの一方は、初期位置への自動的な復帰をもたらすために、金属製の圧縮コイルバネを有するスリーブを介してボールに対して固定される。したがって、この眼鏡ヒンジは、多数の部品を必要とし、製造及び組み立ての両方において複雑且つ高価である。それに加えて、この眼鏡ヒンジは、使用者が自ら容易にメンテナンスすることもできない。特に、ヒンジのバネ要素は、それぞれの眼鏡の眼鏡テンプル内に完全に埋没しているので、外側から容易にアクセスすることができない。最後に、ヒンジの機能性にも改良の余地がある。
【先行技術文献】
【特許文献】
【０００５】
【特許文献１】欧州特許第２４７８４０８号明細書
【発明の概要】
【発明が解決しようとする課題】
【０００６】
本発明の課題は、眼鏡フレーム用の改良された又は少なくとも代替的な眼鏡ヒンジを創作することである。とりわけ、特に頑丈で取り扱いが容易な眼鏡ヒンジを提供することが意図されている。更に、本発明の有利な課題は、眼鏡ヒンジを調整可能に形成するためのヒンジセットを創作することであり、それにより、眼鏡ヒンジを、眼鏡装着者の異なるニーズに容易に適合させることができる。また、本発明の有利な課題は、特に頑丈で取り扱いが容易な眼鏡フレームを創作することである。本発明の別の有利な課題は、それを用いて眼鏡フレームをそれぞれの装着者の異なるニーズに特に良好に適合させることができる眼鏡フレームセットを創作することである。それに加えて、本発明の有利な課題は、バネ要素の新規な使用を創作することである。
【課題を解決するための手段】
【０００７】
これらの課題は、本発明によって、独立請求項の主題によって解決される。本発明の実用的な発展形態を伴う有利な構成は、それぞれの従属請求項で提示されており、本発明のそれぞれの主題の有利な構成は、本発明のそれぞれの他の主題の有利な構成と見なすことができ、逆もまた同様である。
【０００８】
本発明の第１の態様は、眼鏡フレーム用の眼鏡ヒンジであって、前記眼鏡フレームのリムに帰属する第１のヒンジ部と、前記眼鏡フレームの眼鏡テンプルに帰属する第２のヒンジ部と、を備え、前記ヒンジ部は、２つの前記ヒンジ部に固定された少なくとも１つのバネ要素によって互いに可動に連結されているものに関する。バネ要素は、好ましくは環状に閉じられており及び／又はゴム弾性を有するように形成されている。眼鏡ヒンジは３つの異なる部材から成ることができ、それにより、眼鏡ヒンジは構造的に特に単純である。それに応じて、眼鏡ヒンジは、特に容易に製造、組み立て及び／又はメンテナンスすることができる。バネ要素は、それに加えて、過剰負荷に対して特に頑丈であり得る。最後に、そのようなヒンジは、使用者のニーズに個別に適合された有利なモジュール構造を有することができる。
【０００９】
２つのヒンジ部は、剛性の軸によってではなくバネ要素によって連結されているので、眼鏡ヒンジは、通常は剛性の軸によって規定される運動平面の外側での運動によって、直接的に損傷を受ける可能性はない。眼鏡ヒンジにおいては、剛性の軸は省略することができる。それにより、眼鏡ヒンジは、特に取り扱いが容易である。特に、それぞれの眼鏡装着者自身が、眼鏡技師に相談する必要なく、眼鏡ヒンジをメンテナンスすることが可能であり得る。それに加えて、２つのヒンジ部がネジによって連結されている蝶番とは対照的に、眼鏡ヒンジは、ヒンジ部が互いに対して繰り返し運動することに起因して緩む傾向がない。それに加えて、特にゴム弾性のバネ要素を使用する場合、過剰伸長及び／又は過剰圧縮は、ヒンジの永久変形をもたらさないが、当該バネ要素は、メンテナンス及び／又は装着者への眼鏡の新たな位置合わせを必要とする。
【００１０】
環状に閉じられたバネ要素は、特に容易且つ安価に製造可能である。それに加えて、バネ要素は、特に容易にそれぞれのヒンジ部に固定することができる。また、ゴム弾性のバネ要素も特に安価であり、それに加えて、特に眼鏡テンプルの開閉により規定される通常の運動領域の外側のヒンジ位置に起因して、伸展が大きい場合に特に頑丈である。例えば金属製のバネ要素とは対照的に、ゴム弾性のバネ要素は、永久的に変形しにくく、そのような変形の後、より安価に交換可能である。そのうえ、ゴム弾性材料から成るバネ要素は、特に、同一の又はより少ない製造コスト及び／又は同一の又はより高いロバスト性の下で、金属材料から成るバネ要素よりも軽くすることができる。
【００１１】
バネ要素は、例えばゴム材料から形成することができる。バネ要素の材料としては、例えば天然ゴム、ブタジエン-アクリロニトリルゴム、スチレン-ブタジエンゴム、水素化ニトリルゴム、エチレン-プロピレンゴム、熱可塑性ポリウレタンエラストマー及び／又はクロロプレンゴムを使用することができる。特に、バネ要素は、これらの材料のうちの１つ又はそれらの混合物から成ることができる。
【００１２】
リムは、眼鏡のそれぞれのレンズを保持するために形成することができる。眼鏡フレームの眼鏡テンプルは、イヤーフック及び／又はヘッドバンドとして形成することができる。例えば、眼鏡テンプルは、眼鏡装着者の耳を少なくとも部分的に取り囲み、それによって眼鏡を装着者の頭部に保持するために形成することができる。代替的に又は付加的に、眼鏡テンプルは、特定のテンションを有する状態で装着者の頭部に横方向において接触することができ、それによって、同様に、眼鏡が鼻から前方及び／又は下方にずれることを防止する。このテンションは、それに応じて、装着者の頭部の上にそれぞれの眼鏡を掛ける際に、眼鏡ヒンジによって、特にバネ要素によって発生させることができる。その場合、眼鏡テンプルの対応する弾性変形性も省略することができ、又は、少なくとも低減することができる。眼鏡ヒンジにおいて、これは特に、眼鏡の装着の間、バネ要素がある程度引っ張られ、それによって、例えば開かれた位置を超える僅かな過剰伸展によっても、眼鏡テンプルが装着者の頭部に対して押し付けられることを意味し得る。
【００１３】
好ましくは、バネ要素は、特定のプリテンションが生成されるように２つのヒンジ部に固定され、それにより、第１及び第２のヒンジ部は、バネ要素によって互いに対して保持される。特に、２つのヒンジ部は、それらが特定のプリテンションで互いに対して押し付けられるように、及び／又は、ヒンジ部のうちの一方の少なくともそれぞれ１つの部分領域が、ヒンジ部のうちの他方の１つの部分領域と接触するように、バネ要素によって常に保持され得る。好ましくは、バネ要素は、漸進的且つ実質的に連続的なバネ特性を有する。バネ要素は、圧縮バネ又は引張バネとして形成することができ、バネ要素は、有利には引張バネとして形成されている。引張バネを設けることにより、眼鏡ヒンジは、特にコンパクト且つ頑丈であり得る。好ましくは、それぞれのバネ要素を除いて、２つのヒンジ部の間に連結は設けられていない。それにより、眼鏡ヒンジの構造は、特に単純且つ頑丈である。
【００１４】
バネ要素は、例えば取り外し可能に、それぞれのヒンジ部に固定することができる。それにより、眼鏡ヒンジを分解することができる。それに加えて、バネ要素は、損傷した場合に容易に交換することができる。同様に、それぞれのヒンジ部も、損傷した場合に容易に交換することができる。それにより、眼鏡ヒンジは、特にメンテナンスが容易である。それに加えて、内蔵されたバネ要素は、眼鏡ヒンジを異なる要件に適合させることができるように、他のバネ要素、例えば異なるプリテンションを有するバネ要素と容易に交換することもできる。しかしながら、同様に、眼鏡ヒンジ及び／又は眼鏡フレームを異なる要件に適合させることができるように、それぞれのヒンジ部を、例えばリム又はテンプルのような異なる幾何学的形状を有する眼鏡フレーム部品を有する又は有さないヒンジ部と、交換することもできる。
【００１５】
バネ要素は、例えば、単純なバンド及び／又はコードとしても形成することができる。バネ要素の断面は、例えば角張った、特に矩形の、及び／又は、丸いものであり得る。角張った、特に矩形の断面は、ヒンジ部に特に容易に保持されることができ、一方、丸い断面は、ヒンジ部上を良好に摺動し、及び／又は、特に安価に製造可能であり且つ頑丈であり得る。バネ要素の材料は、耐ＵＶ性のものとして形成することができる。そのために、例えばゴム材料を、耐ＵＶ性に処理することができる。
【００１６】
それぞれのヒンジ部は、実質的に剛性のものとして形成することができる。それぞれのヒンジ部の材料としては、例えば木材、石材、鼈甲、プラスチック及び／又は金属が適している。
【００１７】
眼鏡ヒンジは、通常の蝶番とは対照的に、２つ以上の自由度を有する。それにより、対応する眼鏡を装着者の頭部の上に置くことができる使用位置と、それぞれの眼鏡テンプルが実質的に眼鏡のリムに接触し及び／又は折り畳まれ、眼鏡を例えば眼鏡ケース内に容易に収納することができる収納位置と、の間でのヒンジの位置調整をもたらさない望ましくない運動が、眼鏡ヒンジの損傷につながる可能性は、より低い。
【００１８】
眼鏡ヒンジは、以下においては、単にヒンジと称することもある。環状に閉じられたゴム弾性を有するバネ要素は、ゴムバンド又はゴムリングと称することもある。眼鏡ヒンジは、２つのヒンジ部のみを含み、それぞれのバネ要素を除いて別のヒンジ部及び／又は別の連結要素を含まないことができる。
【００１９】
眼鏡ヒンジの別の有利な構成においては、ヒンジ部のうちの少なくとも一方、好ましくは両方のヒンジ部が、それぞれ、バネ要素が固定される保持要素を含むことが企図されている。保持要素は、好ましくは、ピン状及び／又はフック状である。好ましくは、バネ要素は、少なくとも部分的に保持要素の周りに巻き付けられている。これは、バネ要素とそれぞれのヒンジ部との構造的に特に単純な且つ頑丈な連結である。特に、バネ要素は、例えば保持要素からの単純な抜き取りによって、それぞれのヒンジ部から非常に容易に取り外すことができる。その場合、バネ要素は、特に特定のプリテンションによって保持することができる。プリテンションは、伸ばされていない長さ、特に緩んだ長さを超えてバネ要素を引き伸ばすことによって発生させることができる。ピン状の形状は、特に安価に製造することができ、それぞれのバネ要素の組み立て及び分解は特に容易である。フック状の形状は、とりわけ、特に大きなヒンジ位置領域に亘って、バネ要素の望ましくない緩みを特に良好に防止する。フックは、バネ要素が、それにもかかわらず、特定のヒンジ位置において自動的にフックから飛び出すように形成することができる。それにより、許容できないヒンジ位置における眼鏡ヒンジの損傷が防止される。
【００２０】
第１のヒンジ部は、例えば第１の保持要素を備え、第２のヒンジ部は、第２の保持要素を備えることができる。それぞれの保持要素は、ヒンジの回転軸又は旋回点、ヒンジ部の間のそれぞれの接触面、及び／又は、互いに対向するヒンジ部のそれぞれの端部に対して、対称に配置することができる。特に、それぞれの保持要素は、２つのヒンジ部のそれぞれの接触面に対して対称に配置することができる。それぞれの保持要素は、２つのヒンジ部において同一のものとして形成することができる。それぞれの保持要素は、それぞれのヒンジ部と一体的に及び／又は統合して形成することができる。そのような構造により、例えば環状のバネ要素を案内する貫通開口において、当該環状のバネ要素をブロックするためのピンのような、それぞれの付加的な要素を省略することができる。それに応じて、バネ要素を固定するための要素が失われる可能性はなく、したがって眼鏡ヒンジの構造は、全体的に特に単純且つ頑丈である。
【００２１】
一方のヒンジ部上の一方の保持要素は、他方のヒンジ部上の他方の保持要素と比較して、ヒンジの回転軸又は旋回点、ヒンジ部の間のそれぞれの接触面、及び／又は、互いに対向するヒンジ部のそれぞれの端部から遠く離れて配置することができる。例えば、第２のヒンジ部上の保持要素は、第１のヒンジ部上の対応する保持要素と比較して、ヒンジの旋回点又はヒンジ部の回転領域から、より遠くに隔てられていることができる。それにより、特に長いバネ要素を使用可能とするために、既存の組み立てスペースを特に良好に利用することができる。長いバネ要素は、短いバネ要素と比較して、バネ要素、したがって眼鏡ヒンジを損傷することなく、より大きな伸長を可能とする。通常、眼鏡テンプル上には、バネ要素のより長い部分をそこに配置するために、眼鏡のリムに帰属するヒンジ部上と比較して、より多くのスペースが存在する。そこでは、より長いバネ要素部分が、それぞれの眼鏡レンズを設けるためのスペースを場合によっては制限する可能性がある。更に、リム側でより長いヒンジ部によって、閉じられた状態においてリム高さがより高くなる可能性がある。即ち、眼鏡テンプルが折り畳まれている場合に、眼鏡テンプルとリムとの間の距離がより大きくなり得る。
【００２２】
眼鏡ヒンジの別の有利な構成においては、ヒンジ部のうちの少なくとも一方が、バネ要素をこのヒンジ部の異なる位置に固定するために、互いに隔てられた複数の保持要素を備えることが企図されている。それにより、バネ要素を保持するためのそれぞれの保持要素を交換することによって、バネ要素のプリテンションを容易に調整することができる。したがって、装着者の希望に応じて、眼鏡テンプルを開閉するために、即ち収納位置と使用位置との間の位置調整のために、より大きな力又はより小さな力を企図することができる。それに加えて、このようにして、それぞれの眼鏡テンプルを装着者の頭部に押し付ける異なる力を予め決定することもできる。それに加えて、異なる長さのバネ要素を、特に前述の作動力を変えることなく、同一の眼鏡ヒンジに使用することもできる。
【００２３】
眼鏡ヒンジの別の有利な構成においては、２つのヒンジ部が、それらの可動連結のために、バネ要素によって互いに対してテンションをかけられていることが企図されている。それにより、特定の接触領域を予め決定することができ、当該接触領域の周りでは、２つのヒンジ部が互いに対して運動し、それに加えて、好ましくは各ヒンジ位置においてヒンジギャップが最小化される。それにより、少なくとも特定の運動領域において、眼鏡ヒンジの回転軸を予め決定することができる。代替的に、眼鏡ヒンジの旋回点も、そのようにして予め決定することができる。それに加えて、２つのヒンジ部は、実質的に、定義された相対位置において互いに連結されている。例えば、２つのヒンジ部の規定された位置及び／又は接触平面が、使用位置及び収納位置において予め決定され得る。それにより、眼鏡ヒンジは、特に高価値の印象を有し、特に、２つのヒンジ部ががたつく及び／又は互いに緩く連結されているのみであるという印象は生じない。プリテンションによってヒンジギャップを最小化することにより、それぞれの製造公差を特に大きくすることもでき、それにより、製造を特に安価且つ簡易にすることができる。
【００２４】
眼鏡ヒンジの別の有利な構成においては、ヒンジ部のうちの一方が収容領域を備えることが企図されており、当該収容領域上では、ヒンジ部のうちの他方の対応する転動領域（Abrollbereich）が、ヒンジ運動の間に転動及び／又は摺動する。例えば、アクスルピンを有する蝶番及び／又は２つのヒンジ部の間に配置されたボールを有するヒンジとは対照的に、ここでは、ヒンジ部の互いに対する相対運動を予め決定するための付加的な部材を設けることはできない。特に、ヒンジの運動の予め厳密に決定された軸を省略することが可能であり、この軸から逸脱する運動の際にヒンジは迅速に損傷を受ける可能性がある。その代わりに、ヒンジの運動は、ヒンジ部の互いに対する転動及び／又は摺動と、バネ要素によって生成される接触圧力と、場合によっては生じるその伸長とによって、予め決定される。ヒンジ部、特に転動領域及び収容領域の幾何学的形状は、特に、例えば使用位置及び／又は収納位置のような保持又は休止位置における定義された位置決めと同様に、ヒンジ部の互いに対する的を絞った運動を可能とする。
【００２５】
収容領域は、例えばヒンジソケットとして形成することができ、転動領域は、ヒンジボールとして形成することができる。転動領域は、摺動領域と称することもできる。したがって、２つの領域は、２つのヒンジ部の間のそれぞれの接触面であってもよく、これらは、少なくとも特定のヒンジ位置において、及び／又は、少なくとも部分的に、互いに接触している。
【００２６】
例えば、転動領域は、丸み付けされたコーナーを有する正方形又は直方体として形成することができる。これらの丸み付けされたコーナーのうちの１つは、使用位置及び／又は収納位置において、他方のヒンジ部と対向することができる。それに応じて、収容領域は、他方のヒンジ部における対応する正方形又は直方体の凹部として形成することができる。次に、転動領域の丸み付けされたコーナーは、収容領域のそれぞれの表面上を摺動及び／又は転動し、２つの正方形の形状のそれぞれの平坦な領域が互いに接近して接触すると直ちに、及び／又は、収容領域の凹部のコーナーが転動領域の対応するコーナーを通過すると直ちに、ヒンジは対応する位置にジャンプする。それにより、それぞれの眼鏡テンプルは、収納位置及び使用位置のそれぞれの終端位置に、特に予め決定されたヒンジ位置領域から外へ、ジャンプ又は移行することができる。これらのヒンジ位置領域は、それぞれ、これらの位置のうちの１つに割り当てられ、任意選択で互いに直接的に隣接することができる。
【００２７】
代替的な実施形態は、例えば、円筒形の転動領域と、収容領域としての対応する円筒形の凹部とである。転動領域及び収容領域のそのような形状は、（仮想）回転軸のヒンジ運動の追従を特に良好に予め決定することができ、それにより、例えば、眼鏡テンプルの位置を調整する際、眼鏡テンプルを捩じること、及び／又は、上及び／又は下に曲げることを特に良好に回避することができ、それにもかかわらず、そのような逸脱した運動は、ヒンジを損傷することなく許容され得る。上下方向は、例えば、眼鏡ヒンジを有する眼鏡の装着位置によって定義することができる。それに加えて、そのような実施形態における２つのヒンジ部は、特に容易に且つ均一なに互いに対して摺動する。それにより、眼鏡ヒンジは、特に異なる位置の間での位置調整の際、取り扱いが特に容易である。
【００２８】
多角形の形状、例えばヒンジ部の上面図において六角形の基本形状を、収容領域及び／又は転動領域として設けることもできる。それにより、それぞれの端部位置において、それぞれの係合効果を低減することができる。
【００２９】
眼鏡ヒンジの別の有利な構成においては、収容領域及び／又は転動領域が、それぞれ少なくとも２つの接触面、特に実質的に平坦な接触面を備え、当該接触面が互いに75°〜105°、好ましくは87°〜93°の角度を有することが企図されている。特に、２つの平坦な接触面は、互いに垂直であってもよい。３つ以上の接触面がある場合、これらは、それぞれ対になって互いにそのような角度を有することができる。接触面によって、準安定的なヒンジ位置を定義することができる。これらのヒンジ位置は、例えば面の対の平坦な接触及びバネ要素に起因するプリテンションによって、準安定的である。即ち、眼鏡ヒンジは、外部の予め決定された最小力が加えられた場合にのみ、このヒンジ位置を再び離れることができ、その他の場合には、この位置に留まる。
【００３０】
有利には、好ましくは２つの接触面のうちの１つは、特に使用位置及び／又は収納位置において、有利には、運動平面に対して実質的に垂直な上面図（図３参照）内において２つのヒンジ部のうちの少なくとも１つの少なくとも１つの主延在軸に対して傾斜している。更に有利には、接触面のうちのそれぞれ他方は、特に収納位置及び／又は使用位置において、２つのヒンジ部のうちの少なくとも１つの他方の主延在軸に対しても傾斜している。特に、これに加えて又はこれに代えて、各接触面は、使用位置及び収納位置の両方において、２つのヒンジ部の主延在軸に対して傾斜して配向することができる。主延在軸に対する接触面の傾斜は、好ましくは、それぞれの接触面が形成されていないヒンジ部におけるヒンジ位置にのみ依存する。接触面が形成されているヒンジ部では、対応する主延在軸に対するその傾斜は、好ましくはヒンジ位置に左右されない。好ましくは、主延在軸のうちの少なくとも１つは、第２のヒンジ部と連結された眼鏡テンプルの長手軸に対して実質的に平行である。特に、接触面（ここでは、対応する軸に対してそれぞれより小さい角度に関する）は、運動平面においてこれらの軸に対してそれぞれ30°〜70°、有利には40°〜50°、傾斜させることができる。更に有利には、当該角度は90°ではない。
【００３１】
特に、上述した特徴に加えて又はこれに代えて、個々のヒンジ部に形成された２つの接触面は、好ましくは、特にその転動領域又は収容領域においてＶ字形を形成する。このＶ字形は、好ましくは運動平面内で延びており、その角二等分線は、好ましくは、接触面が形成されているヒンジ部の主延在軸に対して、実質的に平行であり、有利には約±20°まで、更に有利には±10°まで、同じく有利には±5°まで（特に運動平面内で）傾斜して形成されている。好ましくは、使用位置又は収納位置における角二等分線は、接触面が形成されていない主延在面に対して、実質的に平行であり、有利には約±20°まで、更に有利には±10°まで、同じく有利には±5°まで（特に運動平面内で）傾斜して形成されている。この構成により、眼鏡ヒンジの特に良好な自己調整がもたらされる。２つのＶ字形の接触面は、両方のヒンジ部に形成することができ、これらは、好ましくは互いに対応している。
【００３２】
それぞれのヒンジ部の主延在軸は、それらの長手方向の広がりによって定義することができる。特に、少なくとも、両方のヒンジ部の主延在方向が実質的に１つの軸の上にある程度にまで眼鏡ヒンジが広く開かれた位置において、第２のヒンジ部の主延在軸は眼鏡テンプルの長手方向の広がりに、第１のヒンジ部の主延在軸は眼鏡テンプルの長手方向の広がりに、それぞれ実質的に対応することができる。これは、例えば使用位置であり得る。使用位置及び収納位置については、後で更に説明する。
【００３３】
それに加えて、眼鏡ヒンジは、バネ要素によって自動的に、特にこのヒンジ位置への特定のアプローチから、準安定的なヒンジ位置へ、自動的に位置調整される。それにより、例えば眼鏡ヒンジのそれぞれの終端位置への移行が生じ得る。それにより、眼鏡ヒンジは、例えば、装着者が眼鏡ヒンジを後述する位置の方向に調整したとき、使用位置及び／又は収納位置に自動的にジャンプすることができる。それぞれの接触面は、互いに直接的に隣接することができ、又は、湾曲した部分領域及び／又は丸み付けされたコーナーを介して互いに連結されることもできる。特に、湾曲した部分領域及び／又は丸み付けされたコーナーは、両方のヒンジ部が互いに特に容易に摺動及び／又は転動することを可能とし、それにより、２つの準安定的なヒンジ位置の間での位置調整が特に容易となる。
【００３４】
眼鏡ヒンジの別の有利な構成においては、眼鏡ヒンジが眼鏡フレームの収納位置と使用位置との間で位置調整され得るよう、ヒンジ部のうちの一方が実質的に運動平面内でヒンジ部のうちの他方に対して運動することができるように、眼鏡ヒンジが形成されていることが企図されている。収納位置は、折り畳まれた眼鏡テンプルに実質的に対応することができ、それにより、対応する眼鏡を、例えばスペースを節約してケース内に収納することができる。この位置では、両方のヒンジ部の２つの主延在軸は、互いに、例えば約90°の角度をなすことができる。使用位置は、実質的に、折り畳まれていない眼鏡テンプルに対応することができる。使用位置において、眼鏡は、装着者の頭部の上に置かれるか又は装着されることができ、特に、リムは眼鏡装着者の鼻の上に置かれることができ、一方、それぞれの眼鏡テンプルは、頭部を取り囲むと共に、少なくとも部分的にそれぞれの耳に接触する。好ましくは、ヒンジは、ここでは、特にそれぞれのヒンジ部のそれぞれの主延在軸に対して約180°の開き角を有する。上述した２つの有利な角度は、両方のヒンジ部の両方の主延在方向が、使用位置において、実質的に１つの軸の上にある構造に対応する。即ち、両方のヒンジ部は、使用位置における主延在方向によって、眼鏡テンプルの主延在部の延長部を形成する。代替的に、例えば、第１のヒンジ部も、その主延在方向が実質的に眼鏡リム又はそれぞれの眼鏡レンズの主延在平面内にあるように配置することができる。使用位置において、眼鏡ヒンジは、例えば、両方のヒンジ部の間に約90°の角度を形成することができる。収納位置において、両方のヒンジ部は実質的に互いに平行であり、それにより、実質的に0°のヒンジ角が形成される。ヒンジ角は、対応する眼鏡を使用する際に装着者の頭部と対向する側の内面で測定することができる。
【００３５】
好ましくは、両方のヒンジ部は、収納位置と使用位置との間での位置調整のために、運動平面内において少なくとも70°、特に有利には少なくとも90°以上、互いに対して回転可能である。使用位置と収納位置との間の運動は、両方のヒンジ部の接触面によって互いに予め決定されている軸を中心とする回転であってもよい。次に、ヒンジは、ヒンジ部の幾何学的形状と、位置調整の際にバネ要素によって生成されるテンションとによって、この軸の周りで回転する。しかしながら、横方向の力による逸脱が可能であり、それに応じて、運動平面又は運動軸は、準安定的に形成されていることができ、及び／又は、準安定的と見なすことができる。
【００３６】
使用位置と収納位置との間の運動は、回転運動と並進運動との重ね合わせであることができ、これは、特に、それぞれのヒンジ部の互いに対する転動及び／又は摺動によって予め決定されることができる。収納位置と使用位置との間の運動は、旋回運動として構成することもできる。眼鏡ヒンジの運動学は、特に、それぞれのヒンジ部の幾何学的形状、特に、収容領域及び転動領域のそれぞれの幾何学的形状、及び／又は、バネ要素、特にそのバネ特性、並びに、収納位置及び使用位置のうちの一方及び／又は両方におけるプリテンションによって、予め決定されている。
【００３７】
眼鏡ヒンジの別の有利な構成においては、両方のヒンジ部が、収容領域及び対応する転動領域によって、運動平面内において少なくとも部分的に互いに対してガイドされることが企図されている。このガイドにより、運動平面内における定義された回転運動を予め決定することができ、それにより、眼鏡ヒンジは、使用位置と収納位置との間で特に容易に位置調整されることができ、したがって、取り扱いが容易である。
【００３８】
例えば、このガイドは、この平面内及び／又はこの平面に対して平行な転動領域の対応する接触面の上側及び／又は下側の収容領域の接触面によって、即ち、特に当該平面に対して垂直な軸に沿ったそれぞれの平面によって、構成することができる。したがって、例えば、直方体形状の転動領域は、運動平面の上側及び下側において支持され得る。したがって、位置調整の間、任意選択で収納位置及び／又は使用位置においても、転動領域をこれらのガイド面上に支持することができ、その結果、両方のヒンジ部は、運動平面内において互いに対してガイドされる。これらの面、特にそれらのサイズ、及び／又は、それぞれの嵌め合わせは、両方のヒンジ部のうちの一方を他方のヒンジ部に対して運動平面外へ傾けることが依然として可能となるように構成することができ、その結果、それぞれのヒンジ部及び／又はバネ要素は、容易に損傷には至り得ない。それにより、例えば、収納位置にある眼鏡が押し付けられた場合、又は、使用位置にある眼鏡がその上に置かれた状態で枕の上に頭部が置かれた場合のような、予期しない荷重の場合であっても、眼鏡の損傷が回避される。
【００３９】
使用位置において、ヒンジ部は、実質的に互いに面一に連結することができる。特に、それぞれの外表面は、互いに面一に隣接することができる。しかしながら、眼鏡を装着したときに見えるそれぞれの外表面のみが、互いに面一に連結されることが企図されていてもよい。両方のヒンジ部の間の接触面は、例えば、装着者の頭部とは反対側で面取りすることができ、及び／又は、ヒンジ部は、それぞれのヒンジギャップを覆い隠すように、そこでオーバーラップを有することができ、例えば、留め継ぎすることができる。
【００４０】
眼鏡ヒンジの別の有利な構成においては、ヒンジ部、特に収容領域及び／又は転動領域が、特に収容領域及び／又は転動領域上の少なくとも１つのストッパー及び／又は少なくとも１つの係止面によって、眼鏡ヒンジを収納位置及び／又は使用位置において安定させるように構成されていることが企図されている。それにより、眼鏡ヒンジは、収納位置及び／又は使用位置において、準安定的な状態を有することができる。特に、これらの２つの位置の間のいくつかの又は全ての中間位置は、不安定であり得る。また、バネ要素が、眼鏡ヒンジが不安定な状態から自動的に準安定的な状態に位置調整されるようなプリテンションを発生させることも企図することができる。
【００４１】
それぞれのストッパーは、各ジヒンジ部に、又は、両方のヒンジ部のうちの一方のみに設けることができる。ストッパーは、例えば、ノッチ及び／又はエッジの形態で、例えば、転動領域及び／又は収容領域に設けることができる。それぞれの係止面は、２つの対応する係止面がそれぞれ準安定的な状態のための接触面を形成するように、両方のヒンジ部に互いに対応して形成することができる。係止面は、それに応じて接触面として形成することができる。係止面は、ストッパーに対応することができ、及び／又は、ストッパーの一部であり得る。係止面、それぞれのストッパー、及び／又は、転動領域及び収容領域の幾何学的形状は、全体として、眼鏡ヒンジを準安定的な状態、即ち特に使用位置及び／又は収納位置にロックさせることもできる。例えば、両方のヒンジ部のうちの一方は溝を備えることができ、両方のヒンジ部のうちの他方は、使用位置及び／又は収納位置において対応する溝内に係合する対応する突起を備えることができる。溝を対応する凹部内に移動させることができることにより、眼鏡ヒンジは、全体として弾性変形することができる。この弾性変形は、特に、バネ要素の弾性変形によって提供することができ、その結果、弾性変形は、それぞれのヒンジ部によって提供される必要はない。例えば、係合のために、バネ要素の付加的な伸張の下で、ヒンジ部のうちの一方の、ヒンジ部のうちの他方から離れる離脱運動を行うことができる。それにより、両方のヒンジ部は、特に剛性且つ頑丈であることができ、それにより、眼鏡ヒンジも全体として特に頑丈であることができる。
【００４２】
眼鏡ヒンジの別の有利な構成においては、眼鏡ヒンジは、第１のヒンジ位置領域内、特に運動平面内の第１の角度範囲内でバネ要素によって自動的に収納位置に位置調整されるように形成されている、及び／又は、眼鏡ヒンジは、第２のヒンジ位置領域内、特に運動平面内の第２の角度範囲内でバネ要素によって自動的に使用位置に位置調整されるように形成されていることが企図されている。例えば、使用位置よりも収納位置に近いヒンジ位置の場合、眼鏡ヒンジは、自動的に収納位置に位置調整されることができる。それに応じて、使用位置により近い他のヒンジ位置領域において、眼鏡ヒンジは、自動的に使用位置に位置調整されることができる。
【００４３】
しかしながら、例えば、運動平面内の少なくとも１つの角度範囲において、より大きな角度範囲が、使用位置よりも収納位置への自動的な位置調整につながることが企図されていてもよい。例えば、眼鏡の使用者が、眼鏡ヒンジが自動的に使用位置に移行する前に、眼鏡ヒンジを少なくとも70°開かなければならないことが企図されていてもよい。逆に、使用者が、眼鏡ヒンジが自動的に収納位置に移行する前に、眼鏡ヒンジを約20°折り畳むだけでよいことが企図されていてもよい。そのような不均一な準安定性によって、眼鏡を特に快適に使用することができる。したがって、例えば、眼鏡ヒンジが特に早期に保護収納位置に位置調整されることが保障される。逆に、眼鏡ヒンジが特に早期に使用位置に移行し、その結果、眼鏡装着者が眼鏡を開いて装着することが特に容易であることも、言うまでもなく企図され得る。
【００４４】
ヒンジ位置領域は、両方のヒンジ部の互いに対する特定の相対的な空間位置であり得る。対応する角度範囲は、例えば、転動領域及び／又は収容領域のそれぞれの幾何学的形状によって、特に、それぞれの接触面及び／又は特に丸み付けされていることができるコーナーによって、予め決定することができる。それぞれの角度範囲は、眼鏡ヒンジのそれぞれの準安定的な位置を定義することができる。それに加えて、それぞれの角度範囲は、設けられたバネ要素のプリテンションによっても、予め決定又は調整され得る。特に、バネ要素は、非常に高いプリテンションで両方のヒンジ部に固定され得るので、眼鏡ヒンジは使用位置及び収納位置の外側の如何なる位置にも留まらない。即ち、別の準安定的な領域は存在しない。相応して高いプリテンションによって、２つの角度範囲の間の移行領域は、眼鏡ヒンジの通常の運動においては、眼鏡ヒンジがいわば不注意によって２つの位置の間に留まることを想定し得ないほど、小さくすることができる。
【００４５】
眼鏡ヒンジの別の有利な構成においては、眼鏡ヒンジが、ヒンジ部の互いに対する運動が、運動平面内において収納位置及び使用位置を超えて許容されるように形成されており、眼鏡ヒンジは、バネ要素によって自動的に収納位置又は使用位置に戻るように形成されていることが企図されている。収納位置及び／又は使用位置を超えたヒンジ部の互いに対する運動は、眼鏡ヒンジの過剰伸張及び／又は過剰伸展と称することもできる。収納位置を超える運動は、過剰圧縮と称することもできる。単純な蝶番の場合、例えば、それぞれの眼鏡テンプルをあまりにも広く開くと、ヒンジ又はそれぞれのヒンジ部が破損し、及び／又は、永久変形する可能性がある。バネ要素を有する本発明による眼鏡ヒンジの場合、代わりにバネ要素の更なる伸長が起こり得る。なぜなら、両方のヒンジ部は、バネ要素によってのみ互いに連結され得るからである。それにより、眼鏡ヒンジは、それぞれの眼鏡テンプルがあまりにも広く曲げ開かれ、及び／又は、あまりにも遠くに押し付けられても、直接的に損傷に至ることはない。特に、過剰伸長及び／又は過剰圧縮の場合、眼鏡ヒンジの如何なる剛性部分も永久変形しないので、損傷が生じない可能性がある。
【００４６】
それにより、例えば、眼鏡は、装着者がその頭部を枕の上に横向きに置いた場合に、快適に装着することができる。同様に、眼鏡は、シャツの襟ぐりに装着され、別の人が装着者を押し、眼鏡が２つの胸郭の間に挟まれる場合に、損傷から保護され得る。
【００４７】
好ましくは、眼鏡ヒンジは、少なくとも１つのヒンジ位置、特に少なくとも１つの過剰に伸展された及び／又は過剰に圧縮されたヒンジ位置において、バネ要素の構造的な負荷限界を超える一方で、他の部品、特に両方のヒンジ部及び／又はそれぞれの保持要素の構造的な負荷限界に依然として達しないように、形成されている。したがって、バネ要素のそれぞれの構造的な負荷限界は、過剰に伸展された及び／又は過剰に圧縮されたヒンジ位置における負荷よりも小さくすることができ、一方、他の部品の構造的な負荷限界はより大きくすることができる。それにより、眼鏡ヒンジが過剰負荷になると、先ずバネ要素の破損に至り、それにより、ヒンジ部間の連結が解除され、ヒンジを介してもはや更なる力は伝達されない。それにより、眼鏡ヒンジの他の部品、特に両方のヒンジ部及び／又はそれぞれの保持要素は、損傷から保護される。それにより、例えば、比較的安価なゴム弾性のバネ要素は、過剰負荷時に破断に至るのみであるが、比較的高価なヒンジ部は損傷のないままである。バネ要素は、この場合、容易に、迅速に且つ安価に交換することができ、それにより、眼鏡ヒンジは、過剰負荷による損傷の後であっても、安価に且つ容易に修理することができる。
【００４８】
代替的に又は付加的に、眼鏡ヒンジは、最大限に過剰伸展及び／又は過剰圧縮されたヒンジ位置において、それぞれの部品、特にバネ要素、両方のヒンジ部及び／又はそれぞれの保持要素の構造的な負荷限界にまだ到達しないように形成することができる。したがって、それぞれの部品のそれぞれの構造的な負荷限界は、最大限に過剰伸展された及び／又は最大限に過剰圧縮されたヒンジ位置における負荷よりも、高くすることができる。それにより、それぞれの最大限位置におけるヒンジの損傷が防止され得る。このために、特に十分に安定的な及び／又は伸縮可能なバネ要素を設けることができる。最大限に過剰伸展された及び／又は最大限に過剰圧縮されたヒンジ位置は、運動平面内の運動によって定義することができ、当該運動は、それぞれの部品の接触によって制限される。例えば、それぞれの眼鏡テンプルが眼鏡リム及び／又は眼鏡レンズの内側に接触し、更なる運動を阻止する場合、最大限に過剰圧縮されたヒンジ位置に到達し得る。同様に、第２のヒンジ部及び／又はそれぞれの眼鏡テンプルがリム及び／又は第１のヒンジ部の外側に接触する場合に、最大限に過剰伸展されたヒンジ位置に到達し得る。そのような曲げ開かれた位置は、360°のヒンジのおおよその開き角にも対応し得る。
【００４９】
眼鏡ヒンジの別の有利な構成においては、それぞれのピン状及び／又はフック状の保持要素が、実質的に運動平面内を延びている、及び／又は、バネ要素のリング形状によって定義される平面が、運動平面に対して横方向に、特に垂直に延びていることが企図されている。それにより、バネ要素は、運動面内において保持要素上に容易に差し込むことができる。バネ要素のリング形状が横方向に延びる平面は、伸展されたヒンジにおいて、即ちそれぞれのヒンジ部が互いに対して180°開かれた使用位置において定義することができる。それ以外に、環状のバネ要素は折り曲げることができる。その場合、代替的に、例えばそれぞれの終端点が、平面を定義することができる。
【００５０】
バネ要素及び／又は保持要素のこの配向によって、これらは、眼鏡ヒンジのうち頭部に面する側に特に容易に配置され、眼鏡を装着する際、それに応じて両方のヒンジ部によって隠されることができる。それにより、眼鏡ヒンジは、眼鏡が装着された際、外側から特に滑らかな外観を有することができ、それに加えて、損傷及び／又は汚染から特に良好に保護されることができる。それに加えて、バネ要素は、保持要素上に特に容易に差し込むことができる。それに加えて、そのような構成は、眼鏡ヒンジが使用位置又は収納位置を超えて過剰に伸展され及び／又は過剰に折り畳まれる場合に、それぞれの保持要素からのバネ要素のジャンプを、特に容易に組み込むことを可能とする。それによっても、眼鏡ヒンジは損傷から特に良好に保護され得る。
【００５１】
別の有利な構成においては、それぞれのピン状及び／又はフック状の保持要素が、運動平面に対して斜めに、特に実質的に垂直に延びており、及び／又は、バネ要素のリング形状によって定義される平面が、実質的に運動平面に対して平行に、特に運動平面内を延びていることが企図されている。眼鏡ヒンジのそのような構成により、特に平坦な眼鏡ヒンジを創作することができる。対応するヒンジを有する眼鏡の装着者の顔に沿って、上下方向に特に僅かしか延びないような眼鏡ヒンジを、平坦な眼鏡ヒンジと見なすことができる。したがって、運動平面に対して垂直な広がりは、特に小さくすることができる。特に、眼鏡ヒンジの最小高さは、実質的にバネ要素の厚さによってのみ、予め決定することができる。それに対して、バネ要素のリング形状によって定義される平面が、運動平面に対して実質的に横方向に配向される場合、眼鏡ヒンジの最小高さは、実質的にバネ要素のリング形状の直径によって予め決定され得る。
【００５２】
保持要素の配向は、特に、その長手方向の広がりに対応することができ、それは、主延在方向に対応し得る。保持要素の配向、したがってそれらの広がりは、例えば、バネ要素の接触する輪によって定義される平面に対して垂直な広がりによって、予め決定することができる。例えば、保持要素の広がりは、バネ要素が接触する保持要素の円筒形の領域の長手方向に対応することができる。
【００５３】
好ましくは、バネ要素は、ヒンジを有する眼鏡が装着されたとき、使用位置においてヒンジ部によって上方、下方及び／又は外側から覆い隠されるように、ヒンジ部のそれぞれの凹部及び／又は溝の内部に収容されている。
【００５４】
好ましくは、ピン状及び／又はフック状の保持要素が、各ヒンジ部に形成されており、これらは逆方向に配向されている。これは、特に、一方の保持要素が上側においてヒンジ部と一体に連結され、他方の保持要素が、その下側においてヒンジ部と一体に連結されることを意味し得る。したがって、保持要素は、バネ要素が２つの逆の方向において保持要素上に押されるように、形成することができる。第１の保持要素において、バネ要素は、例えば下から押され、残りの第１のヒンジ部は、上向きにストッパーを形成し、一方、第２の保持要素上のバネ要素は、上から押され、残りの第２のヒンジ部は、下向きにストッパーを形成する。したがって、バネ要素は、特に安定的にそれぞれの保持要素に装着されており、特に、意図せずに容易に取り外すことはできない。上及び下は、再び、眼鏡ヒンジを有する眼鏡を装着する際の上下方向と関連し得る。
【００５５】
眼鏡ヒンジの別の有利な構成においては、バネ要素が、実質的に、ヒンジ部のうち収納位置において眼鏡ヒンジの内角に面する側に配置されており、特にそこに固定されていることが企図されている。更に、それぞれの保持要素も、これらの側に配置することができる。これらの側は、対応する眼鏡を装着する際に装着者の頭部に面する内側と称することもできる。それぞれの内側は、眼鏡ヒンジの折り畳まれた状態において、互いに向き合うことができる。これによっても、それぞれの保持要素及び／又はバネ要素は、眼鏡が装着される際、特に良好に隠されている。それに加えて、保持要素及びバネ要素は、外部からの汚染及び損傷に対して特に良好に保護されている。特に、これらの部品は、眼鏡ヒンジの折り畳まれた状態において、両方のヒンジ部によって保護されており、その結果、対応する眼鏡は、例えばケース縁部に引っ掛かることによってバネ要素が損傷を受けることを懸念する必要なく、収納することができる。
【００５６】
眼鏡ヒンジの別の有利な構成においては、収容領域及び／又は転動領域が、摺動層を備える、及び／又は、少なくとも１つの摺動スリーブ及び／又は摺動層が間に配置されていることが企図されている。例えば硬化された樹脂コーティング及び／又はテフロン（登録商標）コーティングの形態の、それぞれのヒンジ部の摺動層によって、眼鏡ヒンジの摩耗を特に少なくすることができる。摺動スリーブを使用することによって、ヒンジ部は、眼鏡ヒンジの摩耗を懸念する必要なく、特に柔らかい材料から形成することができる。それに加えて、それぞれの接触面のそれぞれの摺動特性も特に良好であることができ、それにより、眼鏡ヒンジの位置を調整する際の摩擦及びそれに必要な労力を低減することができる。対応するコーティング及び／又はスリーブを、バネ要素とそれぞれのヒンジ部との間の接触部位又は接触面、例えば保持要素に設けることもできる。それによっても、ヒンジ部に対するバネ要素の相対運動及びそれにより生じる摩擦による眼鏡ヒンジの摩耗を、特に少なくすることができる。摺動層又は摺動スリーブは、例えば接着剤によって、両方のヒンジ部のうちの一方と強固に接合することができる。それにより、眼鏡ヒンジは特に頑丈である。しかしながら、摺動層又は摺動スリーブは、例えば、両方のヒンジ部のうちの一方に緩く差し込まれるだけでもよい。それにより、組み立ては、特に迅速かつ安価である。摩耗した場合、摺動層又は摺動スリーブは、それに加えて、特に容易に交換可能である。摺動層又は摺動スリーブは、ヒンジの２つの側又は２つのヒンジ部の間の中間部分と見なすこともできる。
【００５７】
好ましくは、摺動層及び／又は摺動スリーブは、収容領域及び／又は転動領域を、それ自体で形成することもできる。そのために、摺動層は、例えば異なる厚さによって、３次元的な形状を形成することもできる。この場合、摺動層及び／又は摺動スリーブは、それぞれが帰属するヒンジ部の一部と見なすこともでき、及び／又は、これと好ましくは強固に連結され得る。例えば、摺動スリーブ及び／又は摺動層は、それぞれのヒンジ部の残りの部分と面一に接続し、それぞれのヒンジ部から他のヒンジ部に面する端部を形成することができる。摺動スリーブ及び／又は摺動層は、好ましくは、例えば摩損による摩耗を早期に検出できるように、例えばラッカーによって又は着色ラッカーとして、彩色形成することもできる。それに加えて、着色は、デザイン要素としても機能することができる。
【００５８】
眼鏡ヒンジの別の有利な構成においては、収容領域及び／又は転動領域が、２つの領域を互いに押し付けるバネ力の作用下で眼鏡ヒンジの自己調整がもたらされるように形成されていることが企図されている。例えば、バネ要素はプリテンションを有することができ、当該プリテンションによって両方のヒンジ部は互いに張力をかけられ、また、当該プリテンションは収容領域も転動領域に押し付ける。自己調整は、予め決定された初期位置への復帰を意味し得る。例えば、収容領域及び転動領域の幾何学的形状によって及び張力をかけられたバネ要素に起因して、両方のヒンジ部がそれらの空間位置において互いに整列することができ、それにより、眼鏡ヒンジは、自動的に調整される。そのために、例えば、互いに横方向に整列された２対の接触面を設けることができ、当該接触面上にヒンジ部が載置される。接触面のうちの少なくとも一方は、使用位置にある両方のヒンジ部のうちの少なくとも一方の主延在軸に対して横方向に、接触面のうちの他方は、収納位置にある両方のヒンジ部のうちの少なくとも一方の主延在軸に対して横方向に、それぞれ配向することができる。代替的に又は付加的に、収容領域は楔形のセグメントを備えることができ、転動領域は対応する凹部を備えることができる。例えば、直方体形状の転動領域及び対応する収容領域は、各領域の互いに曲げられた面によって、自己調整をもたらすことができる。したがって、眼鏡用の従来の蝶番の場合にしばしばそうであるように、それぞれのヒンジ部をヒンジ調整のために変形させる必要はない。特に、眼鏡ヒンジは、収納位置及び／又は使用位置で自己調整することができ、これは、眼鏡のスペースを節約した収納及び／又は眼鏡の快適な使用のために、特に有利である。
【００５９】
眼鏡ヒンジの別の有利な構成においては、眼鏡ヒンジが、全ての自由度で互いに対するヒンジ部の運動を許容するように形成されており、ヒンジ部が、運動平面外に向けられる場合、及び／又は、特に運動平面内で軸の周りを回転する場合、バネ要素によって自動的に運動平面内の初期位置に戻るように移動することが企図されている。初期位置は、特に、収納位置及び／又は使用位置であってもよいが、運動平面内の他の位置であってもよい。このように、眼鏡ヒンジは、両方のヒンジ部を、損傷を受けることなく、運動平面から逸脱した平面内に誤って移動させることを可能とする。そのような望ましくない移動は、実質的に、バネ要素の破断時の伸び、及び／又は、例えば、それらの強度によって予め決定することができる、それぞれのヒンジ部の構造的な過剰負荷によってのみ制限される。特に、ゴム弾性のバネ要素は、全ての自由度で変形することができ、それにもかかわらず、自動的に変形してその初期位置に戻る。同様に、両方のヒンジ部が互いに対して引き離され、この場合、例えば、蝶番の場合のように、アクスルピンが破断する虞がなく、むしろ、先ずバネ要素のみが可逆的に引き伸ばされるようにすることもできる。
【００６０】
バネ要素は、好ましくは、２つのヒンジ部が任意の大きさで全ての方向に互いに離れるように移動し得るように形成されることもできる。バネ要素は、例えば、眼鏡ヒンジが開かれた位置及び／又は閉じられた位置にある、あるいは、使用位置及び／又は収納位置にある初期位置から、少なくとも50％、有利には100％、特に有利には200％、更に有利には300％、とりわけ少なくとも400％だけ伸張するように形成することができる。それに応じて、眼鏡ヒンジは、ほとんど任意に過剰伸展させることができ、別の方法で過度に引き伸ばすことができる。
【００６１】
転動領域及び／又は収納領域のそれぞれの幾何学的形状の構成は、例えば、準安定的な位置の外側ではもはや実質的に平坦には接触せず、これらの位置から位置調整され、したがって付加的に引き伸ばされたバネ要素と共に戻り移動を引き起こす、復元効果を支援することができる。全体として、収納位置と使用位置との間を移動するために１つの平面内にのみ準安定的な位置を有し、更に、バネ要素によってこの平面内又は収納位置及び使用位置に自動的に位置調整されるような眼鏡ヒンジを形成することができる。
【００６２】
眼鏡ヒンジの別の有利な構成において、眼鏡ヒンジは、最大許容移動範囲を超えたときに、バネ要素がヒンジ部のうちの少なくとも一方から少なくとも１つの自由度で自動的に解放されるように設計されている。最大許容移動領範囲は、使用位置及び／又は収納位置によって定義することができる。例えば、最大許容移動範囲は、収納位置と使用位置との間での運動平面内の移動に対応し得る。例えば、ヒンジ部上の保持要素のうちの少なくとも１つは、最大許容移動範囲を超えたときにバネ要素が保持要素から滑り落ちるように配置することができる。例えば、保持要素は、眼鏡ヒンジが過剰に伸展されたときに、バネ要素の伸びにより生成される力によってバネ要素がピン状の保持要素から滑り落ちるように配向することができる。それにより、バネ要素が許容されない伸びによって損傷を受ける前に、及び／又は、ヒンジ部が強すぎるバネ力によって構造的に過剰に負荷を受ける前に、両方のヒンジ部は互いに分離する。それによって、眼鏡ヒンジは損傷から特に良好に保護され得る。そのために、例えば対応する湾曲部及び／又はアンダーカットによって、保持要素の対応する幾何学的形状を設けることができる。許容移動範囲は、使用位置及び収納位置によって予め決定されるものよりも著しく大きくすることができる。それにより、眼鏡ヒンジが、僅かな超過においても既に保護のために部分的に自ら分解されることが、防止される。例えば、運動平面内で使用位置を20°以上超えて移動する場合、眼鏡ヒンジを損傷から保護するために、バネ要素が保持要素から取り外されるようにすることができる。
【００６３】
別の有利な構成においては、バネ要素が、第１のヒンジ部及び／又は第２のヒンジ部と、取り外し可能に連結されていることが企図されている。したがって、バネ要素を容易に交換及び／又は修理することができる。特に、眼鏡ヒンジを容易に分解することができる。片側のみが取り外し可能である場合、眼鏡ヒンジは、特に取り扱いが容易であり、両方のヒンジ部は、互いからの取り外し及び再連結が特に容易である。両側が取り外し可能である場合、構造は特に単純であり、それぞれのバネ要素は特に容易に交換することができる。例えば、環状のゴム弾性のバネ要素は、２つの円錐形の要素の上に容易に引き上げることができ、これらから再び引き下げることもできる。バネ要素が取り外し可能であることにより、当然ながら、それぞれのヒンジ部も容易に交換することができる。
【００６４】
眼鏡ヒンジの別の有利な構成においては、第１のヒンジ部及び／又は第２のヒンジ部が、少なくとも１つの凹部、特に溝及び／又は貫通開口を備え、バネ要素及び／又はそれぞれの保持要素が、少なくとも部分的に当該凹部内に配置されていることが企図されている。それにより、バネ要素は、特に確実に収容されることができ、したがって、外部損傷から特に良好に保護されている。同様に、それぞれの保持要素を、例えば、引っ掛かり又は外部から保持要素への許容できない直接的な負荷による破断から、保護することができる。それぞれの負荷は、実質的にバネ要素によってのみ、溝内に配置された保持要素に加えられ得る。溝は、リング及び／又は凹部の少なくとも一部を形成することができ、その中央領域には保持要素が配置されている。貫通開口によって、特に、バネ要素が両方のヒンジ部から同時に飛び出し、したがって失われることを防止することができる。
【００６５】
それぞれの溝、貫通開口及び／又はアンダーカットによって、バネ要素を、保持要素の外側の領域において付加的に支持することができる。それにより、例えば、例えばバネ要素の曲率の最小半径が予め決定され得ることによって、バネ要素が、眼鏡ヒンジの折り畳まれた状態又は収納位置においても、特定のプリテンションを及ぼし続けることが保証され得る。したがって、バネ要素は、収納位置においても、例えばそれぞれのヒンジ部の輪郭に追従することができる。
【００６６】
溝は、バネ要素を損傷から特に良好に保護するために、それぞれのヒンジ部の内側に設けることができる。代替的に、溝は、対応する眼鏡を装着したときに見ることができるように配置することもできる。それにより、バネ要素も見ることができ、それに応じてデザイン要素として組み込むことができる。更に、バネ要素の損傷を、視覚的に容易に検査することができる。対照的に、内側に配置された場合、バネ要素は覆い隠されると共に環境の影響から保護され、特に、バネ要素にはごく僅かなＵＶ光しか到達しない。溝あるいは凹部及び／又は貫通開口は、実質的に、両方のヒンジ部におけるバネ要素の広がりに対応し得る。凹部あるいは溝及び／又は貫通開口は、少なくとも部分的に環状に形成されており、運動平面に対して横方向に、特に垂直に延びることができる。
【００６７】
眼鏡ヒンジの別の有利な構成においては、第１のヒンジ部及び／又は第２のヒンジ部が、特に凹部上のアンダーカットの形態の少なくとも１つの支持要素を備え、その上でバネ要素が特定のヒンジ位置領域においてのみ支持されることが企図されている。支持要素は、眼鏡ヒンジが折り畳まれた状態にある場合であっても、バネ要素の最小の伸びを保障し、及び／又は、引き伸ばされたバネ要素の力の偏向を引き起こすように、機能することができる。更に、両方のヒンジ部が折り畳まれる際に互いに向かって移動されるとき、特に収容領域又は転動領域から隔てられた２つの保持要素の間に直接的な連結が生じることができ、その結果、バネ要素は、もはや、ほとんどギャップが無い状態でそれらを一緒に保持するのに十分なプリテンションをヒンジ部に及ぼさない。例えば、このようにして、バネ要素及び両方のヒンジ部が、折り畳まれた状態においても実質的にＶ字形を形成し、ヒンジ部がＶ字形を形成するだけでなく、バネ要素が三角形の形態でこのＶ字形を閉じることを保障することができる。
【００６８】
眼鏡ヒンジの別の有利な構成においては、ヒンジ部が、それぞれ両方のヒンジ部に固定された少なくとも２つのバネ要素によって、互いに可動に連結されていることが企図されている。２つ以上のバネ要素を設けることにより、これらは、眼鏡ヒンジにおける別個の機能を引き継ぐことができ、及び／又は、小さな伸張の下で特に高いプリテンション及び／又は高い力を提供することができる。例えば、一方のバネ要素は、収納位置におけるプリテンションを実質的に決定し、他方のバネ要素は、使用位置におけるプリテンションを決定することができる。それにより、両方のヒンジ部の間の連結は、異なる位置において異なる剛性を有することができる。それに加えて、眼鏡ヒンジを開閉するために必要となる異なる力を、予め決定することができる。それに加えて、眼鏡ヒンジは、それぞれのプリテンションに関して、それぞれの位置において調整可能である。同様に、異なるバネ要素によって、眼鏡ヒンジを自動的に位置調整するためのそれぞれの角度範囲を、異なるものとして予め決定することができる。
【００６９】
眼鏡ヒンジの別の有利な構成においては、少なくとも２つのバネ要素が、第１のヒンジ部及び／又は第２のヒンジ部の凹部内に一緒に配置されることが企図されている。凹部は、上述したような溝であってもよい。同様に、上述したような支持要素を設けることができ、その際、この支持要素には例えば第１のバネ要素のみが支持され、第２のバネ要素は第１のバネ要素を介して支持要素に支持される。凹部内では、バネ要素が互いに接触することができる。それにより、眼鏡ヒンジは、複数のバネ要素にもかかわらず、特にコンパクトである。
【００７０】
眼鏡ヒンジの別の有利な構成においては、少なくとも２つのバネ要素のうちの一方が、同一の伸びの下で、少なくとも２つのバネ要素のうちの他方とは異なる張力を有することが企図されている。この異なる張力は、例えば、異なる材料を使用することによって、異なる弾性率を提供することによって、異なる断面を提供することによって、異なる熱処理によって、異なる予備伸長によって、及び／又は、延伸されていない状態での異なるバネ要素の長さによって、提供することができる。それにより、眼鏡ヒンジは、特に異なる位置及び異なるプリテンションに関して、特に良好に調整可能である。
【００７１】
眼鏡ヒンジの別の有利な構成においては、第１のヒンジ部、第２のヒンジ部及び／又はそれぞれのバネ要素が、天然材料、特にプレス木材、石材、鼈甲又はゴムから成ることが企図されている。特にバネ要素は、天然ゴムから成ることができる。プレス木材は、合板（Panzerholz）と称することもでき、これは、樹脂を有する層状材木構造であることができる。石材としては、例えば、花こう岩、大理石又はスレートを想定することができる。ゴムは、ゴム弾性のバネ要素を形成するために特に適した材料である。したがって、天然資源及び／又は再生可能資源を使用することが可能である。特に、眼鏡ヒンジは金属を含まなくてもよく、それにより、特に自然な印象を与えることができる。それに加えて、腐食保護を省略することができる。それに加えて、眼鏡は、例えば堆肥化することにより、非常に容易にリサイクルすることができる。
【００７２】
眼鏡ヒンジの別の有利な構成においては、第１のヒンジ部が眼鏡フレームのリムとして形成されており、及び／又は、第２のヒンジ部が眼鏡フレームの眼鏡テンプルとして形成されていることが企図されている。しかしながら、代替的に、例えば接着／又はネジ締結によって、第１のヒンジ部は眼鏡フレームのリムと、第２のヒンジ部は眼鏡フレームの眼鏡テンプルと、それぞれ接続されることもできる。しかしながら、好ましくは、それぞれのヒンジ部は、眼鏡フレームのリム又はそれぞれの眼鏡テンプルと、一体的に及び／又は統合して形成されている。それにより、付加的な部品を省略することができる。眼鏡フレームは、特に安価に組み立てることができ、また、特に小さく、軽く且つ頑丈であることができる。
【００７３】
本発明の第２の態様は、本発明の第１の態様による眼鏡ヒンジを調整可能に形成するためのヒンジセットに関する。したがって、本発明の第１の態様から生じる特徴及び利点は、本発明の第１の態様の説明から読み取ることができ、本発明の第１の態様の有利な構成は、本発明の第２の態様の有利な構成と見なされ、その逆も同様である。
【００７４】
ヒンジセットは、好ましくは、形成されるべき眼鏡ヒンジを調整するために選択可能な複数の異なるバネ要素を含み、当該異なるバネ要素は、特に同一の伸びの下でのテンションに関して及び／又は伸ばされていない状態における長さに関して異なっている。代替的に又は付加的に、ヒンジセットは、形成されるべき眼鏡ヒンジを調整するために選択可能な複数の異なる第１のヒンジ部及び／又は複数の異なる第２のヒンジ部を含み、当該異なる第１及び／又は第２のヒンジ部は、特にそれらの収容領域又は転動領域の幾何学的形状に関して異なっている。
【００７５】
したがって、眼鏡ヒンジは、例えば収納位置及び／又は使用位置に関して、例えば復元力のような、それを自動的に移動させるそれぞれの力、並びに、開放及び／又は閉鎖に必要な力を、使用者の希望に適合させることができる。特に、ヒンジが、眼鏡装着者によって、眼鏡技師の助けを借りることなく組み立て及び分解され得ることにより、眼鏡装着者は、眼鏡ヒンジを、自分の個人的な希望に自ら適合させることができる。例えば、眼鏡の所有者は、眼鏡を開閉するための力が自分にとって大きすぎる場合、バネ要素を自ら交換することができる。同様に、眼鏡所有者は、眼鏡を保持するためにそれぞれの眼鏡テンプルが頭部に如何なるプリテンションで押し付けられるかを、非常に容易に自ら調整することができる。特に高齢で力の弱い人々にとっては、眼鏡を装着することが容易となり、スポーティな人々には十分な眼鏡の保持を提供することができる。
【００７６】
例えば、ヒンジセットは、複数のバネ要素を含むことができ、当該バネ要素は、異なるゴム混合物を有する、及び／又は、伸ばされていない状態で異なる長さを有する。有利には、それぞれのバネ要素は、それらが常に均等にヒンジ部に嵌まり、及び／又は、保持要素に固定することができるように、同一の断面を有する。しかしながら、それぞれのバネ要素の断面は、例えば、ヒンジ溝内への組み込みを容易にするために、及び／又は、ヒンジ部への保持力を高めるために、異なっていてもよい。それに加えて、同一の材料を用いた場合にも、異なるバネ特性を予め容易に決定することができる。ヒンジセットは、例えば、複数の異なるゴム及び／又は異なるヒンジ部を含むことができる。それぞれのバネ要素は、少なくとも部分的にヒンジ部に強固に固定されることができ、その結果、それぞれのバネ要素は、関連するヒンジ部と一緒に交換することができる。
【００７７】
ヒンジ部がリム及び／又は眼鏡テンプルと一体的に形成されている場合、眼鏡は、異なる使用目的に関して迅速且つ容易に調整することができる。例えば、通常のレンズを有するリムを、読書用レンズを有するリムと交換することができる。同様に、通常の装着のためのそれぞれの眼鏡テンプルを、スポーツ用途のためのそれぞれの眼鏡テンプルと交換することができる。ヒンジセットは、ホームユーザー、即ち例えば眼鏡のそれぞれの所有者のために形成することができる。特に、眼鏡ヒンジを調整するために、眼鏡技師に相談すること、及び／又は、工具、特に特別な工具を使用することは、必要ではない。
【００７８】
しかしながら、組み立て及びメンテナンスを更に容易にするために、眼鏡ヒンジに帰属する特別な工具を使用可能とすることもできる。特に、工具は、バネ要素をそれぞれの保持要素から引っ張り、及び／又は、その上に通すために形成することができる。工具は、組み立て及び／又はメンテナンスの際にヒンジ部を損傷から保護するために、ヒンジ部の材料よりは柔らかいが、バネ要素の材料よりは硬い材料から成ることができる。例えば、工具は、その幅が、その内部でバネ要素がそれぞれのヒンジ部に配置されている溝の幅よりも小さいか又は実質的に等しい、マイナスドライバーの態様で設計され得る。
【００７９】
代替的に又は付加的に、ヒンジセットは、バネ要素をヒンジ部から取り外すために想定された工具、特に特別な工具を含むこともできる。工具は、それぞれの部品を損傷することなくバネ要素を保持要素から引き離すことができるように、バネ要素と保持要素との間の凹部に挿入可能な工具ヘッドを備えることができる。
【００８０】
ヒンジセットの別の有利な構成において、それぞれのバネ要素は色分けされ、及び／又は、それぞれの異なるヒンジ部は色分けされている。例えば、眼鏡の両方の眼鏡ヒンジが同一に形成されるように、互いに属する第１及び第２のヒンジ部は、同じ色で構成することができる。同様に、カラーコーディングによって、バネ要素が如何なる特性を有するかを示すことができる。例えば、第１の赤いゴム弾性のバネ要素は、同一の伸びにおいて、第２の青いゴム弾性のバネ要素よりも、強いプリテンションを有することができる。好ましくは、ヒンジセットは、常に、２つの同一の眼鏡ヒンジを形成するように構成されている。即ち、好ましくは、各第２のヒンジ部及び／又は各バネ要素が、ヒンジセット内に２つ存在する。対照的に、第１のヒンジ部は、例えばリムと共に形成することができ、言うまでもなく各眼鏡テンプルについて第１のヒンジ部がリムに設けられており、それに応じて、コストを節約するために１つのリムのみがヒンジセッ内に存在することができる。
【００８１】
本発明の第３の態様は、少なくとも１つの眼鏡レンズ用のリムと、２つの眼鏡テンプルと、を有する眼鏡フレームに関する。更に、本発明の第３の態様による眼鏡フレームは、本発明の第１の態様による２つの眼鏡ヒンジを含み、これらは、本発明の第２の態様によるヒンジセットから形成することができ、各眼鏡テンプルは、両方の眼鏡ヒンジのうちの一方によってリムと可動に連結されている。したがって、本発明の第３の態様による眼鏡フレームは、本発明の第１の態様による眼鏡ヒンジを含むことができ、当該眼鏡ヒンジは、本発明の第２の態様によるヒンジセットから調整可能に形成することができる。本発明の第１の態様による眼鏡ヒンジ及び本発明の第２の態様によるヒンジセットの使用から生じる特徴及び利点は、本発明の第１及び第２の態様の説明から読み取ることができ、本発明の第１及び第２の態様の有利な構成は、本発明の第３の態様の有利な構成であると見なされ、その逆も同様である。両方の眼鏡ヒンジは、眼鏡の鉛直中心面に対して鏡面対称に形成することができる。
【００８２】
第１のヒンジ部は、眼鏡フレームのリムとして形成されることができ、及び／又は、第２のヒンジ部は、眼鏡フレームの眼鏡テンプルとして形成されることができる。代替的に、各第２のヒンジ部は、それぞれの眼鏡テンプルと強固に接続、例えば接着されることができ、又は、例えば合板眼鏡テンプルの更なる層として一体に形成されることができる。各第１のヒンジ部は、対向する側又は端部においてリムと強固に接続又は接着されることができ、又は、合板リムの更なる層として一体に形成されることができる。好ましくは、２つの眼鏡レンズは、特に眼鏡装着者の弱視を光学的に矯正するために、眼鏡フレームのリム内に保持されている。
【００８３】
本発明の第４の態様は、少なくともそれぞれ１つの眼鏡レンズのための少なくとも２つのリム及び／又は少なくとも２対の眼鏡テンプルを有する眼鏡フレームセットに関し、当該眼鏡フレームセットからの眼鏡テンプルの選択された対によって及び選択されたリムによって、眼鏡フレームが組み立て可能であり、組み立てられた状態において、それぞれ選択された各眼鏡テンプルは、本発明の第１の態様による眼鏡ヒンジによって、選択されたリムと可動に連結されており、眼鏡フレームセットの各リムは、対応する第１のヒンジ部を備え、眼鏡フレームセットの各眼鏡テンプルは、対応する第２のヒンジ部を備える。眼鏡フレームセットは、それぞれ１つの本発明の第１の態様による眼鏡ヒンジを形成するために、本発明の第２の態様による１つのヒンジセットをも含むことができる。
【００８４】
眼鏡ヒンジは、ホームユーザーによっても容易に組み立て及び分解され得るので、眼鏡をそれぞれのユーザーの希望に関して自由に調整することが可能な眼鏡フレームセットが提供され得る。例えば、複数のリム及び／又は複数の対の眼鏡テンプルを設けることができ、その結果、用途に応じて、スポーツ用眼鏡、読書用眼鏡、又は、従来の意味での通常の眼鏡を形成することができる。したがって、眼鏡フレームセットの所有者は、例えば、１つのリムと２対の眼鏡テンプルとを持つことができる。第１の対の眼鏡テンプルは、例えば、特に快適であり、日常的な使用が想定されている。第２の対の眼鏡テンプルは、例えば、特に確実な保持を提供し、その結果、眼鏡又は同一のリムを、動きの多いスポーツにも使用することができる。したがって、２つの別個のリム、特に２つの別個の眼鏡を使用可能とすることは、不要である。したがって、例えば、眼鏡装着者の弱視を矯正するために、高価で洗練された２対の眼鏡レンズを入手しなくてもよい。眼鏡フレームセットにおいても、有利には、カラーコーディングを設けることができる。
【００８５】
それぞれのリム及びそれぞれの眼鏡テンプルは、光学的な矯正及び／又は日除けのために眼鏡の通常の寸法を有することができる。バネ要素は、例えば、張力を掛けられていない状態で2mm〜35mm、有利には3.5mm〜8mmの内径及び／又は長さを有することができる。長さは、環状に閉じられたバネ要素の場合、それに応じて、緩んだ状態において対向する２つの側の間の直径として定義され得る。バネ要素の断面の直径は、例えば0.5mm〜5mm、有利は1.5mm〜3mmとすることができる。バネ要素は、例えばＯリングのように形成することができる。
【００８６】
本発明の第５の態様は、特に環状に閉じられた、及び／又は、ゴム弾性を有するものとして形成されたバネ要素の使用に関する。このバネ要素は、本発明の第１の態様による眼鏡ヒンジにおいて、及び／又は、本発明の第２の態様によるヒンジセットにおいて、及び／又は、本発明の第３の態様による眼鏡フレームにおいて、及び／又は、本発明の第４の態様による眼鏡フレームセットにおいて、使用することができる。それにより、本発明の前述した態様による利点が得られる。
【００８７】
別の態様は、少なくとも１つの本発明の第１の態様による眼鏡ヒンジを有する眼鏡に関する。この眼鏡は、対応する眼鏡フレームを含むことができ、光学的な誤差を補正するため及び／又は日除けのために、少なくとも１つの眼鏡レンズを備えることができる。
【００８８】
本発明の更なる構成の可能性及び特徴は、以下の態様のリストから得られる：
【００８９】
１．眼鏡フレーム用の眼鏡ヒンジ(10, 50, 100, 150, 200)であって、前記眼鏡フレームのリムに帰属する第１のヒンジ部(12)と、前記眼鏡フレームの眼鏡テンプルに帰属する第２のヒンジ部(14)と、を備え、前記ヒンジ部(12, 14)は、２つの前記ヒンジ部(12, 14)に固定された少なくとも１つのバネ要素(16, 102, 104, 216)によって互いに可動に連結されており、前記バネ要素(16, 102, 104, 216)は好ましくは閉じられ且つゴム弾性を有するように形成されている。
【００９０】
２．態様１による眼鏡ヒンジ(10, 50, 100, 150, 200)であって、
前記ヒンジ部(12, 14)のうちの少なくとも一方、好ましくは両方のヒンジ部(12, 14)は、それぞれ、好ましくはピン状及び／又はフック状の保持要素(18, 218)を含み、当該保持要素の周りには前記バネ要素(16, 102, 104, 216)が少なくとも部分的に巻き付けられている。
【００９１】
３．態様２による眼鏡ヒンジであって、
前記ヒンジ部(12, 14)のうちの少なくとも一方は、前記バネ要素(16, 102, 104, 216)をこのヒンジ部(12, 14)の異なる位置に固定するための互いに隔てられた複数の保持要素(18, 218)を備える。
【００９２】
４．前述した態様のうちの１つによる眼鏡ヒンジ(10, 50, 100, 150, 200)であって、
２つの前記ヒンジ部(12, 14)は、前記バネ要素(16, 102, 104, 216)によって、その可動な接続のために互いに張力を付与されている。
【００９３】
５．前述した態様のうちの１つによる眼鏡ヒンジ(10, 50, 100, 150, 200)であって、
前記ヒンジ部(12, 14)のうちの一方は収容領域(24)を備え、前記収容領域(24)上には前記ヒンジ部(12, 14)のうちの他方の対応する転動領域(22)がヒンジ移動中に転動及び／又は摺動する。
【００９４】
６．態様５による眼鏡ヒンジ(10, 50, 200)であって、
前記収容領域(24)及び／又は前記転動領域(22)は、それぞれ少なくとも２つの接触面(36)、特に実質的に平坦な接触面(36)を備え、前記接触面(36)は互いに75°〜105°、好ましくは87°〜93°の角を有する。
【００９５】
６ａ．態様６による眼鏡ヒンジ(10, 50, 200)であって、
使用位置及び／又は収納位置において、両方の接触面は、特に運動平面に垂直な平面図において、２つのヒンジ部の主延在軸に対して及び／又はそれぞれの眼鏡テンプルの長手軸に対して傾斜している。
【００９６】
７．前述した態様のうちの１つによる眼鏡ヒンジ(10, 50, 100, 150, 200)であって、
前記眼鏡ヒンジ(10, 50, 100, 150, 200)は、前記ヒンジ部(12, 14)のうちの一方が、前記ヒンジ部(12, 14)のうちの他方に対して、前記眼鏡ヒンジ(10, 50, 100, 150, 200)が収納位置と使用位置との間で位置調整可能であるよう、実質的に運動平面内で移動し得るように形成されている。
【００９７】
８．前述した態様のうちの１つによる眼鏡ヒンジ(10, 50, 100, 150, 200)であって、
前記２つのヒンジ部(12, 14)は、前記収容領域(24)及び対応する前記転動領域(22)によって、前記運動平面内で互いに対して少なくとも部分的に案内されている。
【００９８】
９．態様７又は８による眼鏡ヒンジ(10, 50, 100, 150, 200)であって、
前記ヒンジ部(12, 14)、特に前記収容領域(24)及び／又は前記転動領域(22)は、前記眼鏡ヒンジ(10, 50, 100, 150, 200)を、前記収納位置及び前記使用位置において、特に少なくとも１つのストッパー(28, 52, 110)及び／又は前記収容領域(24)及び／又は前記転動領域(22)の係止面(36)により安定化させるように形成されている。
【００９９】
１０．態様７〜９のうちの１つによる眼鏡ヒンジ(10, 50, 100, 150, 200)であって、
前記眼鏡ヒンジ(10, 50, 100, 150, 200)は、第１のヒンジ位置領域において、特に前記運動平面内の第１の角度範囲において、前記バネ要素(16, 102, 104, 216)によって自動的に前記収納位置に位置調整されるように形成されている、
及び／又は
前記眼鏡ヒンジ(10, 50, 100, 150, 200)は、第２のヒンジ位置領域において、特に前記運動平面内の第２の角度範囲において、前記バネ要素(16, 102, 104, 216)によって自動的に前記使用位置に位置調整されるように形成されている。
【０１００】
１１．態様７〜１０のうちの１つによる眼鏡ヒンジ(10, 50, 100, 150, 200)であって、
前記眼鏡ヒンジ(10, 50, 100, 150, 200)は、前記ヒンジ部(12, 14)の互いに対する移動が、前記運動平面内において前記収納位置及び／又は前記使用位置を超えて許容されるように形成されており、前記眼鏡ヒンジ(10, 50, 100, 150, 200)は、前記バネ要素(16, 102, 104, 216)によって自動的に前記収納位置又は前記使用位置に戻るように形成されている。
【０１０１】
１２．態様７〜１１のうちの１つによる眼鏡ヒンジ(10, 50, 100, 150)であって、
それぞれのピン状及び／又はフック状の保持要素(18)は、実質的に前記運動平面内を延びている、及び／又は、前記バネ要素(16, 102, 104)の前記リング形状によって定義される平面は前記運動平面に対して横方向に、特に垂直に延びている。
【０１０２】
１２ａ．態様７〜１１のうちの１つによる眼鏡ヒンジ(200)であって、
それぞれのピン状及び／又はフック状の保持要素(218)は、前記運動平面に対して斜めに、特に実質的に垂直に延びており、及び／又は、前記バネ要素(216)の前記リング形状によって定義される平面は、実質的に前記運動平面に対して平行に、特に前記運動平面内を延びている。
【０１０３】
１３．態様７〜１２又は１２ａのうちの１つによる眼鏡ヒンジ(10, 50, 100, 150, 200)であって、
前記バネ要素(16, 102, 104, 216)は実質的に、前記ヒンジ部(12, 14)のうち収納位置において前記眼鏡ヒンジ(10, 50, 100, 150, 200)の内角に面する側の上に配置されている、特にそこに固定されている。
【０１０４】
１４．態様７〜１３のうちの１つによる眼鏡ヒンジ(10, 50, 100, 150, 200)であって、
前記収容領域(24)及び／又は前記転動領域(22)は摺動層(308)を備え、及び／又は、その間に少なくとも１つの摺動スリーブ及び／又は摺動層(308)が配置されている。
【０１０５】
１５．態様７〜１４のうちの１つによる眼鏡ヒンジ(10, 50, 100, 150)であって、
前記収容領域(24)及び／又は前記転動領域(22)は、特に前記収納位置及び／又は前記使用位置において、前記両領域を互いに対して押し付けるバネ力の下で、前記眼鏡ヒンジ(10, 50, 100, 150, 200) の自己調整が引き起こされるように形成されている。
【０１０６】
１５ａ．態様１５による眼鏡ヒンジ(10, 50, 100, 150, 200)であって、
前記収容領域はＶ字形又は楔形のセグメントを備え、前記転動領域は対応する凹部を備え、前記Ｖ字形又は楔形の角二等分線は、ヒンジ部の主延在方向及び／又は眼鏡テンプルの長手軸に対して、実質的に平行に延びている。
【０１０７】
１６．前述した態様のうちの１つによる眼鏡ヒンジ(10, 50, 100, 150, 200)であって、
前記眼鏡ヒンジ(10, 50, 100, 150, 200)が、全ての自由度で互いに対する前記ヒンジ部(12, 14)の運動を許容するように形成されており、前記ヒンジ部(12, 14)が、前記運動平面外に向けられる場合、及び／又は、前記運動平面内で軸の周りを回転する場合、前記バネ要素(16, 102, 104, 216)によって自動的に前記運動平面内の初期位置に戻るように移動する。
【０１０８】
１７．前述した態様のうちの１つによる眼鏡ヒンジ(10, 50, 100, 150, 200)であって、
前記眼鏡ヒンジ(10, 50, 100, 150, 200)は、前記バネ要素(16, 102, 104, 216)が少なくとも１つの自由度において最大限許容された移動領域を超えた場合に、自動的に前記ヒンジ部(12, 14)のうちの少なくとも一方から緩むように形成されている。
【０１０９】
１８．前述した態様のうちの１つによる眼鏡ヒンジ(10, 50, 100, 150, 200)であって、
前記バネ要素(16, 102, 104, 216)は、取り外し可能に、前記第１のヒンジ部(12)及び／又は前記第２のヒンジ部(14)と接続されている。
【０１１０】
１９．前述した態様のうちの１つによる眼鏡ヒンジ(10, 50, 100, 150, 200)であって、
前記第１のヒンジ部(12)及び／又は前記第２のヒンジ部(14)は、少なくとも１つの凹部(34, 106)、特に溝(34, 106)及び／又は１つの貫通開口を備え、前記凹部内には、前記バネ要素(16, 102, 104, 216)及び／又はそれぞれの保持要素(18, 218)が少なくとも部分的に配置されている。
【０１１１】
２０．前述した態様のうちの１つによる眼鏡ヒンジ(10, 50, 100, 150, 200)であって、
前記第１のヒンジ部(12)及び／又は前記第２のヒンジ部(14)は、特に凹部(34)におけるアンダーカット(54)の形態の少なくとも１つの支持要素(54)を備え、前記支持要素(54)には前記バネ要素(16, 216)が特定のヒンジ位置領域においてのみ支持されている。
【０１１２】
２１．前述した態様のうちの１つによる眼鏡ヒンジ(100, 150)であって、
前記ヒンジ部(12, 14)は、２つのヒンジ部(12, 14)にそれぞれ固定された少なくとも２つのバネ要素(102, 104)によって互いに可動に連結されている。
【０１１３】
２２．態様２１よる眼鏡ヒンジ(100, 150)であって、
少なくとも２つの前記バネ要素(102, 104)は、前記第１のヒンジ部(12)及び／又は前記第２のヒンジ部(14)の凹部(106)内に共に配置されている。
【０１１４】
２３．態様２１又は２２よる眼鏡ヒンジ(100, 150)であって、
前記少なくとも２つのバネ要素(102, 104)のうちの一方は、同一の伸びの下で、前記少なくとも２つのバネ要素(102, 104)のうちの他方とは異なるテンションを有する。
【０１１５】
２４．前述した態様のうちの１つによる眼鏡ヒンジ(10, 50, 100, 150, 200)であって、
前記第１のヒンジ部(12)、前記第２のヒンジ部(4)及び／又はそれぞれのバネ要素(16, 102, 104, 216)が、天然材料、特にプレス木材、石材、鼈甲又はゴムから成り、前記バネ要素(16)は好ましくは天然ゴムから成る。
【０１１６】
２５．前述した態様のうちの１つによる眼鏡ヒンジ(10, 50, 100, 150, 200)であって、
前記第１のヒンジ部(12)は、前記眼鏡フレームのリムとして形成されており、及び／又は、前記第２のヒンジ部(14)は、前記眼鏡フレームの眼鏡テンプルとして形成されている。
【０１１７】
２６．前述した態様のうちの１つによる眼鏡ヒンジ(10, 50, 100, 150, 200)を調整可能に形成するためのヒンジセットであって、
前記ヒンジセットは、形成されるべき前記眼鏡ヒンジ(10, 50, 100, 150, 200)を調整するために選択可能な複数の異なるバネ要素(16, 102, 104, 216)を含み、前記異なるバネ要素(16, 102, 104, 216)は、特に同一の伸びの下でのテンションに関して及び／又は伸ばされていない状態における長さに関して異なっており、
及び／又は
前記ヒンジセットは、形成されるべき前記眼鏡ヒンジ(10, 50, 100, 150, 200)を調整するために選択可能な複数の異なる第１のヒンジ部(12)及び／又は複数の異なる第２のヒンジ部(14)を含み、前記異なる第１及び／又は第２のヒンジ部(12, 14)は、特にそれらの収容領域(24)又は転動領域(22)の幾何学的形状に関して異なっている。
【０１１８】
２７．態様２６によるヒンジセットであって、
それぞれの異なるバネ要素(16, 102, 104, 216)は色分けされ、及び／又は、それぞれの異なるヒンジ部(12, 14)は色分けされている。
【０１１９】
２８．少なくとも１つの眼鏡レンズのためのリムと、２つの眼鏡テンプルと、前述した態様のうちの１つによる２つの眼鏡ヒンジ(10, 50, 100, 150, 200)と、を有する眼鏡フレームであって、それぞれの眼鏡テンプルは、それぞれ２つの前記眼鏡ヒンジ(10, 50, 100, 150, 200)のうちの１つによって前記リムと可動に連結されている。
【０１２０】
２９．少なくともそれぞれ１つの眼鏡レンズのための少なくとも２つのリム及び／又は少なくとも２対の眼鏡テンプルを有する眼鏡フレームセットであって、当該眼鏡フレームセットからの眼鏡テンプルの選択された対によって及び選択されたリムによって、眼鏡フレームが組み立て可能であり、組み立てられた状態において、それぞれ選択された各眼鏡テンプルは、前述した態様のうちの１つによる眼鏡ヒンジ(10, 50, 100, 150, 200)によって、選択されたリムと可動に連結されており、眼鏡フレームセットの各リムは、対応する第１のヒンジ部(12)を備え、眼鏡フレームセットの各眼鏡テンプルは、対応する第２のヒンジ部(14)を備える。
【０１２１】
３０．態様１〜２５のうちの１つによる眼鏡ヒンジ(10, 50, 100, 150, 200)、及び／又は、態様２６又は２７によるヒンジセット、及び／又は、態様２８による眼鏡フレーム、及び／又は、態様２９による眼鏡フレームセットにおける、特に環状に閉じられた、及び／又は、ゴム弾性を有するように形成されたバネ要素(16, 102, 104, 216)の使用。
【０１２２】
本発明の更なる特徴は、特許請求の範囲、実施例及び図面から明らかになる。本明細書において上述した特徴及び特徴の組み合わせ、並びに、以下で実施例において説明する特徴及び特徴の組み合わせは、それぞれ提示された組み合わせにおいてのみならず、本発明の範囲を逸脱することなく、他の組み合わせにおいても用いることができる。
【図面の簡単な説明】
【０１２３】
【図１】その使用位置にある眼鏡フレーム用眼鏡ヒンジの第１の実施形態を、概略的な斜視図で示している。
【図２】その収納位置にある図１の眼鏡ヒンジを、概略的な斜視図で示している。
【図３】その使用位置にある図１の眼鏡ヒンジを、概略的な上面図で示している。
【図４】その収納位置にある図１の眼鏡ヒンジを、概略的な上面図で示している。
【図５】その使用位置にある眼鏡ヒンジの別の実施形態を、概略的な斜視図で示している。
【図６】その収納位置にある図５の眼鏡ヒンジを、概略的な斜視図で示している。
【図７】図５の眼鏡ヒンジを、概略的な前面図で示している。
【図８】その使用位置にある図５の眼鏡ヒンジを、概略的な上面図で示している。
【図９】その収納位置にある図５の眼鏡ヒンジを、概略的な上面図で示している。
【図１０】その使用位置にある眼鏡ヒンジの別の実施形態を、概略的な斜視図で示している。
【図１１】その収納位置にある図１０の眼鏡ヒンジを、概略的な斜視図で示している。
【図１２】その使用位置にある図１０の眼鏡ヒンジを、概略的な上面図で示している。
【図１３】その収納位置にある図１０の眼鏡ヒンジを、概略的な上面図で示している。
【図１４】その使用位置にある眼鏡ヒンジの別の実施形態を、概略的な斜視図で示している。
【図１５】その収納位置にある図１４の眼鏡ヒンジを、概略的な斜視図で示している。
【図１６】その使用位置にある図１４の眼鏡ヒンジを、概略的な上面図で示している。
【図１７】その収納位置にある図１４の眼鏡ヒンジを、概略的な上面図で示している。
【図１８】過剰に圧縮されたヒンジ位置にある図５の眼鏡ヒンジを、概略的な斜視図で示している。
【図１９】過剰に伸展されたヒンジ位置にある図５の眼鏡ヒンジを、概略的な斜視図で示している。
【図２０】その運動平面から上方へ外れたヒンジ位置にある図５の眼鏡ヒンジを、概略的な斜視図で示している。
【図２１】その使用位置にある眼鏡ヒンジの別の実施形態を、概略的な斜視図で示している。
【図２２】その収納位置にある図２１の眼鏡ヒンジを、概略的な斜視図で示している。
【図２３】前に示した眼鏡ヒンジを有する眼鏡フレームにおける眼鏡テンプルのリムに対する可能な運動を、概略的な斜視図で示している。
【発明を実施するための形態】
【０１２４】
以下において、眼鏡フレーム用眼鏡ヒンジの様々な実施形態が議論される。その際、同一の機能及び／又は同一の構成を有する部分には、部分的に同一の参照符号が付与され、更に、それぞれの実施形態について重複する説明は省略される。
【０１２５】
図１は、眼鏡フレーム用眼鏡ヒンジ１０の第１の実施形態を、概略的な斜視図で示している。眼鏡ヒンジは、眼鏡フレームのリムに帰属する第１のヒンジ部１２を含む。更に、眼鏡ヒンジ１０は、眼鏡フレームの眼鏡テンプルに帰属する第２のヒンジ部１４を含む。しかしながら、この割り当ては、それぞれの眼鏡ヒンジの機能を制限することなく、容易に交換することができる。
【０１２６】
例えば、第１のヒンジ部１２は、眼鏡フレームのリムと一体に形成することができ、その場合、リムは、眼鏡のそれぞれのレンズを保持するために機能し、装着の際、少なくとも部分的に装着者の鼻の上に載る。第２のヒンジ部１４も同様に、眼鏡テンプルと一体に形成することができ、眼鏡フレームを眼鏡装着者の頭部に保持するために機能し得る。例えば、第１のヒンジ部１２も第２のヒンジ部１４も、均質的に、例えば木材、特にプレス木材、合板、石材、鼈甲、プラスチック及び／又は金属のような単一の材料から成ることができる。それに応じて、リム及びそれぞれの眼鏡テンプルも、同一の材料から形成することができる。
【０１２７】
２つのヒンジ部１２，１４は、これらに固定されたバネ要素１６によって、互いに可動に連結されている。バネ要素１６は、ここでは環状に閉じられており、ゴム弾性材料で形成されている。バネ要素１６用の材料としては、例えば様々なタイプのゴムが適している。バネ要素１６は、２つのヒンジ部１２，１４の各々の保持要素１８に保持されている。２つの保持要素１８は、バネ要素１６が保持要素１８から滑り落ちるのを防止するアンダーカット２０を、それぞれ互いに反対側に備えている。バネ要素１６によって、２つのヒンジ部１２，１４は、接触領域において互いに対して張力をかけられている。そのために、バネ要素１６は、特定のプリテンションが作用した状態で、２つの保持要素１８に固定されている。即ち、バネ要素１６は、テンションをかけられていない弛緩した状態に対して、引き伸ばされている。
【０１２８】
バネ要素１６による以外に、２つのヒンジ部１２，１４は、互いに連結されていない。バネ要素１６は弾性を有するため、それにより、２つのヒンジ部１２，１４の原則として全ての自由度における相対移動が許容される。特に、２つのヒンジ部１２，１４は、それぞれの眼鏡テンプルがリムから離れるように開かれ、眼鏡が装着者の頭部の上に載せられる使用位置と、眼鏡テンプルが実質的に眼鏡フレームのリムに接触するか又はそれぞれの眼鏡レンズに向かって折り畳まれている収納位置と、の間で位置を調整することができる。
【０１２９】
眼鏡ヒンジ１０の収納位置は、例えば図２の概略的な斜視図において認識することができ、２つのヒンジ部１２，１４は、運動平面内において、図１に示された使用状態に対して、相対的に９０°だけ回転されている。２つのヒンジ部１２，１４の相対的な運動を少なくとも部分的に案内するために、第１のヒンジ部１２は転動領域２２を備え、第２のヒンジ部１４は対応する収容領域２４を備える。図１及び２、並びに、図３及び４の概略的な上面図においても認識され得るように、転動領域２２は、実質的に立方体形状又は直方体形状に形成されている。それに応じて、収容領域２４は、矩形の断面を有する対応する凹部によって形成されている。２つのヒンジ部１２，１４が可能な限り均等に互いに対して摺動及び／又は転動することを可能とするために、それぞれのコーナーは丸みを付けて形成されている。転動領域及び収容領域をそれぞれ対応する直方体形状に形成することにより、特に、以下においても説明されるように、それぞれの互いに対する載置の際に収納又は使用位置を形成する、それぞれ少なくとも２対の対応する支持面３６，２２が設けられる。それぞれの支持面の対は、好ましくは、直方体形状の構成の場合、斜交いに形成されており、例えば、実質的に９０°だけ互いに対してオフセットされている。
【０１３０】
収容領域２４及び転動領域２２は、眼鏡ヒンジ１０のための一種のガイドを形成する。特に、これら２つの領域２２，２４は、例えば図２において矢印２６で示されるように、上方又は下方への傾斜運動に関してヒンジ部１２，１４を安定させる。それにより、眼鏡ヒンジ１０が、意図せず他の空間方向に捩じられることなく、使用位置と収納位置との間で快適に位置を調整され得ることが保証される。
【０１３１】
２つの保持要素１８は、それぞれ転動領域２２又は収容領域２４の一部をも形成すると共に、それぞれ対向する接触面を備えている。
【０１３２】
２つのヒンジ部１２，１４はバネ要素１６によってのみ互いに接触して保持されているので、例えば矢印２６によって示された運動方向に対応する、第１のヒンジ部１２に対する第２のヒンジ部１４の運動は、十分に可能である。したがって、眼鏡テンプルは、リムに対して上方又は下方に折り曲げることができ、それぞれの空間的配向は、眼鏡装着者の頭部の上における眼鏡フレームの装着位置に応じて理解され得る。それにより、眼鏡ヒンジ１０は、２つのヒンジ部１２，１４のうちの一方に意図せず上下方向に力が作用した場合に、損傷から保護され得る。
【０１３３】
転動領域２２及び収容領域２４における上下方向のそれぞれの真っ直ぐな支持面と、そのような運動によって生じるバネ要素１６の更なる伸びとに起因して、復元力が生成され、当該復元力により、眼鏡ヒンジ１０のそれぞれのヒンジ部１２，１４は、使用位置と収納位置との間の運動平面内に再び自動的に位置調整される。この運動平面は、直立した眼鏡装着者の装着位置に対して実質的に水平である。それにより、眼鏡ヒンジは、特に頑丈で取り扱いが容易である。
【０１３４】
更に、転動領域２２及び収容領域２４が部分領域２８にストッパー２８を形成しており、当該ストッパーにより、収納位置が静止位置として予め決定されていることが認識され得る。バネ要素１６のプリテンションに起因して、眼鏡ヒンジ１０は、特定の角度範囲だけ又は特定のヒンジ位置領域内へ使用位置から位置を調整された後、自動的に収納位置へ移行する。引き続き、眼鏡ヒンジ１０は、収納位置において、自動的にバネ要素１６によってストッパー２８に保持されている。したがって、眼鏡ヒンジ又はそれぞれのヒンジ部１２，１４が、特定の最小強度の外力の作用によってのみ離れる、準安定的な位置が利用可能となる。眼鏡ヒンジ１０が自動的に収納位置へ移行し始める角度範囲は、実質的に、収容領域２４及び転動領域２２の立方体形状の真っ直ぐな面によって予め決定されている。例えば、収容領域２４の対応するコーナーが転動領域２２の対応するコーナーを通過する際、眼鏡ヒンジ１０は、ある位置から他の位置へ移行する。
【０１３５】
同様に、眼鏡ヒンジ１０は、使用位置にも準安定的な位置を備えている。例えば、図３の上面図において、収容領域２４が、２つの真っ直ぐな又は平坦な面３６で、転動領域２２のそれぞれの対応する真っ直ぐな面と接触することが、特に良好に認識され得る。この位置において、バネ要素１６は、例えば、その最小の伸びを有し得る。したがって、眼鏡ヒンジ１０が使用位置から位置を調整される際、増大した引張力が自動的にバネ要素１６によって生成され、当該引張力が最初に使用位置へと戻す復元力を生じさせる。使用位置は、それに応じて、転動領域２２及び収容領域２４の幾何学的形状によって予め決定されている。特に互いに角度を成す真っ直ぐな面３６によって、使用位置における２つのヒンジ部１２，１４の互いに対する安定的な位置がもたらされる。それに応じて、眼鏡ヒンジ１０は、特定の角度範囲内においても自動的に使用位置へ移行し、それぞれの面３６は係止面として機能し、２つのヒンジ部１２，１４の互いに対する安定的な位置がもたらされる。
【０１３６】
更に、図３において、転動領域２２及び収容領域２４が矢印３０の方向から見て傾斜していることが認識され得る。矢印３０は、眼鏡ヒンジ１０を備える眼鏡フレームが眼鏡装着者によって装着される間、当該眼鏡ヒンジが実質的にどの方向から他人によって見られるかを示している。換言すれば、視線の方向は、例えば眼鏡テンプルの長手方向に対して垂直に延びている。それに応じて、２つのヒンジ部１２，１４の間に場合によっては存在する間隙は、傾斜面のように覆い隠されている。それにより、見苦しい間隙が見えないので、それぞれの製造公差を特に大きくすることができる。更に、２つのヒンジ部１２，１４はバネ要素によっても互いに押し付けられ、その結果、自動的に可能な限り最小の間隙が設定される。
【０１３７】
更に、この配置によって、Ｖ字形の収容部が形成されることが達成され、当該収容部によって、ヒンジ部は安定的に保持され得る。
【０１３８】
図４の眼鏡ヒンジ１０の上面図では、更に、収納位置における眼鏡ヒンジ１０の内角とは反対側の領域３２が、第１及び第２のヒンジ部１２，１４の間に重なりを有していないことが認識され得る。それにより、２つのヒンジ部１２，１４の互いに隣接する領域に構造的な負荷をかけることなく、眼鏡ヒンジ１０を更に折り畳むことが可能である。特に、接触領域に引張力は負荷されず、代わりに、２つのヒンジ部１２，１４は、眼鏡ヒンジ１０が意図された領域にわたってそのようにストッパー２８に押し付けられる際、互いに対して転動する。その際、領域３２において、２つのヒンジ部１２，１４は、眼鏡ヒンジ１０の構造的な負荷を軽減するために、互いに離れていることができる。したがって、眼鏡ヒンジ部１０は、同様に損傷から保護されている。通常、バネ要素１６は、損傷を受けることなく、それでもなお十分にプリテンションを利用可能とすべく、付加的に引き伸ばされ得るよう、容易に設計され得る。
【０１３９】
バネ要素１６は、２つの保持要素１８又は２つのヒンジ部１２，１４に、取り外し可能に固定されている。それにより、特に、バネ要素１６を、異なるバネ特性曲線を有する他のバネ要素と交換することが可能となる。例えば、バネ要素１６は異なるラバーコンパウンドから構成されることができ、それにより、これらの異なるバネ要素は、同一の伸びの下で異なる力を生成する。それにより、使用されるバネ要素に応じて、一方では、眼鏡ヒンジ１０をそれぞれ使用位置及び／又は収納位置へ移行させる異なる力を予め決定することができ、更に、それに応じて、これらの位置の間で眼鏡ヒンジ１０の位置を調整するためにどのような力が必要とされるかも予め決定することができる。同様に、それにより、眼鏡ヒンジ１０を使用位置に保持するために、特定の力が必要であるようにすることもできる。それにより、対応する眼鏡フレームを装着者の頭部に付加的に保持するために、それぞれの眼鏡テンプルが装着者の頭部に押し付けられるという結果がもたらされ得る。
【０１４０】
眼鏡ヒンジ１０は、容易に組み立て及び分解することができる。特に、付加的な工具及び／又は訓練なしに眼鏡ヒンジ１０を組み立てることが可能であり得る。したがって、ホームユーザーが、例えばバネ要素１６のような眼鏡ヒンジ１０の個々の部品を交換することも可能である。眼鏡ヒンジ１０は、収容領域２４及び転動領域２２並びにバネ要素１６自体によって自己調整され、その結果、眼鏡ヒンジ１０のそれぞれの部分の永久変形を通じて、眼鏡ヒンジ１０を更に微調整し、装着者に適合させることは、必要ではない。それにより、眼鏡ヒンジ１０は、ホームユーザーにとって調整可能であり得る。
【０１４１】
特に図１及び２において認識され得るように、２つのヒンジ部１２，１４は、それぞれ、その内部にバネ要素１６が配置される溝３４を備えている。したがって、バネ要素１６は、２つのヒンジ部１２，１４のそれぞれの外面に対して埋め込まれて配置されており、それにより、一方では、バネ要素１６を損傷から保護することができ、他方では、例えば毛髪がバネ要素１６に挟み込まれることを特に良好に回避することができる。溝３４は、２つのヒンジ部１２，１４の凹部と解釈することもでき、その中央領域にはそれぞれ保持要素１８が配置されている。溝３４及び／又は保持要素は、それぞれのヒンジ部ブランク、特に合板ブランクをフライス加工することによって製造することができる。
【０１４２】
第１のヒンジ部１２の溝３４は、収納位置にある眼鏡ヒンジ１０において、もはや外側からアクセスできないように構成されている。これは、特に図２において認識され得る。それにより、バネ要素１６は、収納位置において、溝３４から滑り出ること、又は、第１のヒンジ部１２の保持要素１８から横滑りすることから保護される。これは、バネ要素１６が、ここでの場合のように、収納位置において使用位置と比較してより小さく引き伸ばされている場合に、特に有意義である。伸長比が逆である場合、使用位置における第１及び／又は第２のヒンジ部１４の溝３４の逆の構造又はブロックも考慮に入れることができる。この場合、例えば第２のヒンジ部１４の溝３４は、使用位置において覆われ得る。
【０１４３】
例えば図１において認識され得るように、眼鏡ヒンジ１０の第２のヒンジ部１４における保持要素１８は、第１のヒンジ部１２の保持要素１８よりも、２つのヒンジ部１２，１４のそれぞれの接触面から更に離れて延びている。それにより、リムよりも眼鏡テンプルに、対応してより多くの組み立てスペースが存在することを考慮することができる。なぜなら、当該スペースは、それぞれの眼鏡レンズも収容しなければならず、更に、大抵の場合、第１のヒンジ部１２への接続部において約９０°の湾曲を有するからである。第２のヒンジ部１４におけるバネ要素１６のこの大きな広がりにより、全体としてより長いバネ要素１６を使用することができる。より長いバネ要素１６によって、眼鏡ヒンジ１０がその全長に関連して運動する際、バネ要素は、対応するより短いバネ要素と比較して相対的により小さく引き伸ばされる。それにより、バネ要素１６は、全体としてより小さな負荷を受ける。特に、多数回のヒンジ運動の後に初めて、バネ要素１６を形成するゴム弾性材料の疲労が生じる。
【０１４４】
図５は、眼鏡ヒンジの第２の実施形態を概略的な斜視図で示しており、当該眼鏡ヒンジには参照符号５０が付与されている。眼鏡ヒンジ５０において、転動領域２２は第２のヒンジ部１４に、収容領域２４は第１のヒンジ部１２に、それぞれ配置されている。したがって、ここでの配置は、眼鏡ヒンジ１０に対して逆になっている。代替的に、ここでも、ヒンジ部１２が眼鏡テンプルに、ヒンジ部１４がリムに、それぞれ帰属することができる。この場合、図５では例えば左側の眼鏡ヒンジ５０が、図１では右側の眼鏡ヒンジ１０が、それぞれ示される。それぞれの左右の眼鏡ヒンジは、好ましくは、リムの中央を通る鏡軸に対して対称に形成されている。
【０１４５】
眼鏡ヒンジ１０の図と同様に、眼鏡ヒンジ５０は図５においてその使用位置で示されており、図６は、その収納位置にある眼鏡ヒンジ５０を概略的な斜視図で示しており、図８は、使用位置にある眼鏡ヒンジ５０を概略的な上面図で示しており、図９は、その収納位置にある眼鏡ヒンジ５０を概略的な上面図で示している。上面図は、眼鏡を装着して真っ直ぐに保持した場合の身体の上下方向における上方からの俯瞰図に対応し得る。対称的な構造のゆえに、上面図での図示は、下面図にも対応する。
【０１４６】
特に図５及び図６において認識され得るように、眼鏡ヒンジ５０は、ストッパー２８だけでなく、別のストッパー５２も備えている。ストッパー５２によって、使用位置は特に正確に予め決定され、眼鏡ヒンジ５０は、更に、この位置において安定化される。
【０１４７】
更に、２つのヒンジ部１２，１４が、それぞれの接触面とは反対側で、特に２つのヒンジ部１２，１４の主延在方向に対して横方向に、又は、眼鏡を装着して真っ直ぐに保持した場合に鉛直面に対して実質的に垂直に、先細りになっていることが認識され得る。この先細りは、眼鏡フレームの特に繊細な外観をもたらす。先細りは、特に、それぞれのヒンジ部１２，１４の構造的な負荷に関して設計することができる。当該負荷は、それぞれの接触面の領域において、したがって転動領域２２及び収容領域２４の領域において特に高く、逆にそれぞれの反対側において相対的に見てより小さくなる。したがって、眼鏡ヒンジ５０は、特に軽量であり得る。
【０１４８】
それに加えて、眼鏡ヒンジ５０においては、第１の実施形態（眼鏡ヒンジ１０）に対して、それぞれの保持要素１８及び溝３４が異なる構成とされている。
【０１４９】
眼鏡ヒンジ５０の保持要素１８は、アンダーカット２０を備えていない。その代わりに、保持要素１８は、バネ要素１６（図５〜９においては認識することが困難であり、したがって参照番号が付与されていないが、溝３４内に配置されている）によって使用位置において形成される平面に対して、僅かに傾斜している。保持要素１８のこの傾斜は、アンダーカット２０と同様に、先ず、バネ要素１６をそれぞれの溝３４内に保持させる。しかしながら、眼鏡ヒンジ５０が収納位置を超えて押し付けられた場合、即ち、２つのヒンジ部１２，１４が図６及び図９に示された位置を超えて互いに重なり合って閉じられた場合、バネ要素１６は、保持要素１８から、ひとりでに滑り落ちることができる。それにより、２つのヒンジ部１２，１４は互いに分離し、それによって、過大に折り畳まれた際の眼鏡ヒンジ５０の損傷が回避され得る。引き続き、バネ要素１６は、眼鏡ヒンジ５０を分解するために、保持要素１８の上に再び容易に引っ張られることができる。したがって、眼鏡ヒンジ５０は特に頑丈である。全体として、バネ要素１６の組み立て及び分解は、斜めの保持要素１８に起因して、更にアンダーカット２０を有する保持要素１８を備える眼鏡ヒンジ１０と比較して、単純化されている。
【０１５０】
更に、第１のヒンジ部１２の溝３４は、第２のヒンジ部１４に面する側にアンダーカット５４を備えるように形成されている。したがって、バネ要素１６は、組み立て及び分解のために、開口５６とも称され得る中間ギャップ５６を通されなければならない。この中間ギャップ５６は、２つのヒンジ部１２，１４の組み立てられた状態において、少なくとも正規に企図されたヒンジ位置において、第２のヒンジ部１４の保持要素18によって閉じられている。正規に企図されたヒンジ位置は、通常、収納位置、使用位置、及び、運動平面内におけるその間の全ての位置に対応する。したがって、眼鏡ヒンジ５０における第２のヒンジ部１４の保持要素１８は、中間開口５６を通って摺動し、それにより、ヒンジ部１２，１４は、更に、コンパクトな構造でありながら互いに接して案内される。それに応じて、バネ要素１６は、先ず眼鏡ヒンジ５０を組み立てるために第１のヒンジ部１２に配置され、その後に初めて第２のヒンジ部１４の保持要素１８に配置されなければならない。それにより、バネ要素１６は、望ましくない弛緩に対して、また紛失に対しても保護されている。
【０１５１】
同時に、アンダーカット５４は、眼鏡ヒンジ５０の収納位置においてもバネ要素１６の更なるプリテンションを提供する機能を果たす。したがって、アンダーカット５４は、眼鏡ヒンジ５０の収納位置において、バネ要素１６が２つの溝３４の輪郭に実質的に従わなければならないという結果をもたらす。さもなければ、バネ要素は、例えば、眼鏡ヒンジ５０の収納位置において、少なくとも部分的に溝３４の外側に配置されている。バネ要素１６のそのような経過は、例えば図９において破線５８で示されている。しかしながら、アンダーカット５４によって、バネ要素１６は、破線６０によって示された経過に従う。したがって、使用位置において非常に強いプリテンションが必要とされることなく、２つのヒンジ部１２，１４を互いに接して保持するために、バネ要素１６の十分なプリテンションが、収納位置においても保障され得る。それにより、眼鏡ヒンジ５０の負荷が軽減される。それに加えて、バネ要素１６は、眼鏡ヒンジ５０の収納位置において、損傷から保護された態様で溝３４内に配置されている。
【０１５２】
したがって、眼鏡ヒンジ５０のバネ要素１６は、特に収納位置に隣接する特定のヒンジ位置領域においてのみ、アンダーカット５４において支持される。溝３４、保持要素１８及び眼鏡ヒンジ５０のアンダーカット５４を更に示すために、眼鏡ヒンジ５０が更に内側から見た側面透視図で図７に示されている。
【０１５３】
眼鏡ヒンジ５０においては、更に、特に例えば図８において、転動領域２２及び収容領域２４の平坦な支持面３６の間のコーナーに特定の間隙が設けられていることが、特に良好に認識され得る。この間隙は、収納位置と使用位置との間の特に均一な位置調整を可能とし、即ち、それぞれのヒンジ部１２，１４は、相対的に特に均一に運動することができる。対照的に、丸みが付けられていないコーナー及び／又は間隙のない嵌め合いの場合、眼鏡ヒンジ５０の位置の調整において、容易に引っ掛かり及び／又はがたつきが生じ得る。
【０１５４】
図１０の概略的な斜視図に示された眼鏡ヒンジの第３の実施形態は、ここでは参照符号１００が付与されているが、最初の２つの実施形態に対して、特に、２つのヒンジ部１２，１４が第１のバネ要素１０２及び第２のバネ要素１０４によって互いに接続されている点で異なる。これらは、同様にその使用位置にある眼鏡ヒンジ１００を示す図１２の眼鏡ヒンジ１００の概略的な上面図において、特に良好に認識され得る。眼鏡ヒンジ１００の第３の実施形態は、更に、図１１の概略的な斜視図で、その収納位置において示されている。同様に、図１３の概略的な上面図は、その収納位置にある眼鏡ヒンジ１００を示している。
【０１５５】
２つのヒンジ部１２，１４は新たにそれぞれ保持要素１８を備え、その各々はアンダーカットを備え、当該アンダーカットには、内側のバネ要素１０２が、眼鏡フレームの装着位置において眼鏡装着者の頭部に面する側で支持される。この側とは反対側に、それに応じて、第２のバネ要素１０４が支持され、その結果、２つのバネ要素１０２，１０４は、２つの保持要素１８を取り囲む凹部１０６内に確実に収容されている。２つのヒンジ部１０２，１０４は、付加的に、凹部１０６にバルジ状の窪み１０８を備え、当該窪みによって、バネ要素１０４は、付加的に凹部１０６内のその位置において固定される。このバルジ状の窪み１０８は、バネ要素１０４のリング形状に従って全周に、又は、凹部１０６のそれぞれ転動領域２２及び収容領域２４とは反対側にのみ、形成することができる。
【０１５６】
それに加えて、眼鏡ヒンジ１００においては、収容領域２４及び転動領域２２が、認識可能に異なって構成されている。眼鏡ヒンジ１００においては、転動領域２２及び収容領域２４が、対応して眼鏡ヒンジ１００の使用位置及び／又は収納位置を予め決定する平坦な係止面を形成しない。その代わりに、眼鏡ヒンジ１００の使用位置は、図１０及び１２に示されているように、ストッパー１１０によってのみ予め決定されている。図１１の概略的な斜視図及び図１３の上面図に示されている眼鏡ヒンジ１００の収納位置は、ここでは参照符号１１２によって識別しやすくされた、眼鏡ヒンジ１００の内面上の中央領域における交互の窪み及び隆起によって予め決定される。領域１１２におけるこれらの交互の隆起及び窪みは、同時に、収納位置と使用位置との間の眼鏡ヒンジ１００の運動平面に対して実質的に平行に配置された支持面１１４を形成する。これらの接触面１１４によって、眼鏡ヒンジは、これらの位置の間での位置調整中に、付加的に、２つのヒンジ部１２，１４のうちの一方の他方に対する上方又は下方への傾斜に対して支持される。それにより、２つの位置の間での均一な位置調整をもたらすと共に、望ましくない傾斜を防止する付加的なガイドが提供される。
【０１５７】
２つの設けられたバネ要素１０２，１０４によって、眼鏡ヒンジ１００は、それぞれの位置調整力及び自動的な復元力に関して特に良好に適合され得る。例えば、バネ要素１０４は、実質的に使用位置への移行効果を、バネ要素１０２は、実質的に収納位置への移行効果を、それぞれ規定することができる。それに応じて、これらのそれぞれの位置からの運動のためのそれぞれの力は、少なくとも部分的に、互いに独立して予め決定することができる。その他に、眼鏡ヒンジ１００が一方又は他方の位置へ移行する角度範囲を変更又は予め決定することもできる。
【０１５８】
そのような変更のために、眼鏡ヒンジ１００においては、転動領域２２及び収容領域２４の幾何学的形状は必ずしも変更される必要はなく、バネ要素１０２，１０４のみを交換することもできる。これは、特に、例えば眼鏡ヒンジ１０及び眼鏡ヒンジ５０においては、転動領域２２及び収容領域２４の立方体形状によって予め決定されているように、どの角度範囲から眼鏡ヒンジ１００が一方の又は他方の位置へ移行するかを実質的に予め決定する、対応する接触面が予め決定されていないために、可能である。対照的に、眼鏡ヒンジ１００においては、転動領域２２及び収容領域２４が、実質的に丸みを付けて形成されている。
【０１５９】
図１４の概略的な斜視図には、ここでは参照符号１５０が付与された眼鏡ヒンジの第４の実施形態が示されている。眼鏡ヒンジ１５０は、眼鏡ヒンジ１００と同様に形成されており、特に、ここでも２つのバネ要素１０２，１０４が設けられている。これらの２つのバネ要素１０２，１０４は、図１６及び図１７の眼鏡ヒンジ１５０の概略的な上面図において、特に良好に認識され得る。眼鏡ヒンジ１５０の使用位置は図１４及び図１６に示されており、眼鏡ヒンジ１５０の収納位置は図１５及び図１７の概略的な斜視図に示されている。
【０１６０】
眼鏡ヒンジ１５０は、眼鏡ヒンジ１００の単純化されたバージョンとして理解することもできる。ここでは、２つのヒンジ部１２，１４の間のそれぞれの接触面のそれぞれ反対側における先細りは省略された。同様に、収容領域２４又は転動領域２２に相互の隆起はない。更に、バルジ状の窪みが、バネ要素１０４を凹部１０６内に保持するために設けられている。したがって、眼鏡ヒンジ１５０の２つのヒンジ部１２，１４は、特に安価に製造することができる。
【０１６１】
それぞれの眼鏡ヒンジ１０，５０，１００，１５０を特に耐摩耗性とするために、それらは、それぞれの接触面の領域、即ち、特に転動領域２２及び収容領域２４に付加的な摺動層を備えることができる。この摺動層は、例えば、エポキシ樹脂によって形成することができ、それにより、２つのヒンジ部１２，１４の摩擦摩耗を特に最小限に抑えることができる。代替的に又は付加的に、潤滑剤、例えばテフロン（登録商標）粉末を、２つのヒンジ部１２，１４の間に設けることもできる。代替的に又は付加的に、２つのヒンジ部１２，１４は、強固に塗布されたテフロン（登録商標）層を備えることもできる。
【０１６２】
眼鏡ヒンジ１０，５０，１５０及び２００が、特に容易に組み立て及び分解され得ることにより、これらはヒンジセット及び／又は眼鏡フレームセットの一部であることができる。したがって、複数の異なるヒンジ部１２，１４及び／又は複数の異なるバネ要素１６，１０２，１０４を提供することができる。更に、ホームユーザーは、自らの個人的な要件に従って、対応する眼鏡ヒンジを組み合わせ、組み立てることができる。同様に、例えばリム及び／又は眼鏡テンプルは、異なる要件に従って交換することができる。同時に、眼鏡ヒンジ１０，５０，１００，１５０は、個々の部品の容易な交換及び／又は修理をも可能とする。
【０１６３】
２つのヒンジ部１２，１４が、それぞれのバネ要素１６又は１０２及び１０４によってのみ互いに対して保持されることにより、対応する眼鏡ヒンジのための剛な回転軸は生じない。その代わりに、２つのヒンジ部１２，１４は、回転運動及び並進運動の両方によって、互いに対して位置を調整することができる。特に、収納位置と使用位置との間での位置調整は、摺動と転動とを組み合わせることにより行うことができる。
【０１６４】
それぞれの製造公差は、特に、転動領域２２及び収容領域２４の領域においても、特に大きくなり得る。バネ要素１６又は１０２及び１０４によって２つのヒンジ部１２，１４を圧縮することにより、公差補償が自動的に行われ、２つのヒンジ部１２，１４は、各位置において最小のギャップで隣接して保持されている。即ち、眼鏡ヒンジ１０，５０，１００，１５０は、統合された公差補償を有しており、それにより、特に安価に製造することができる。それぞれの製造公差は大きくなり得る。特に、製造誤差によって、従来のヒンジの場合に即座にそうであるように、眼鏡ヒンジ１０，５０，１００，１５０の割れ及び／又はブロッキングが即座に生じる可能性はない。それに加えて、対応するヒンジは、位置調整を繰り返した場合であっても緩むことはなく、及び／又は、例えばネジ込み式の眼鏡ヒンジの場合に即座にそうであるように、眼鏡技師によって再調節されなければならない。特に、眼鏡ヒンジ１０，５０，１００，１５０は、過剰負荷及び／又は過剰伸長及び／又は過剰圧縮によって永久変形されず、そのような負荷の後に必ずしもメンテナンスを必要としない。
【０１６５】
眼鏡ヒンジ１０，５０，１００，１５０は、それらの上下方向に関して対称に形成されており、これは製造技術的に有利である。
【０１６６】
図１８、図１９及び図２０は、それぞれ、図５の眼鏡ヒンジ５０を概略的な斜視図で示している。ここでは、眼鏡ヒンジ５０が、その収納位置とその使用位置との間での位置調整中に通常は占めるべきではなく、従来の眼鏡ヒンジでは即座に損傷及び／又は永久変形につながる様々な位置が示されている。しかしながら、眼鏡ヒンジ５０は、そのようなヒンジ位置及びそれに伴う負荷を、損傷されることなく受容することができる。そのようなヒンジ位置は、眼鏡ヒンジ１０、１００及び１５０に損傷を与えることなく占められ得る。
【０１６７】
図１8は、過剰に圧縮された位置にある眼鏡ヒンジ５０を示す。２つのヒンジ部１２，１４は、ここでは、収納位置を超えて矢印６２の方向に重なり合うように移動されており、この運動は、依然として、収納位置と使用位置との間の運動平面内で行われている。そのような過剰圧縮は、例えば、シャツに留められた眼鏡を圧縮することによって生じ得る。認識され得るように、２つのヒンジ部１２，１４は、この場合、ストッパー２８において互いに接しながら転動し、一方、それぞれの真っ直ぐな面３６は互いに離れる。バネ要素１６は、その後もアンダーカット５４に接触し、したがって、収納位置に対して更に引き伸ばされる。それにより、眼鏡に対する圧縮が終了した後に眼鏡ヒンジ５０を再び収納位置へ自動的に位置調整する、付加的な復元力が生じる。
【０１６８】
アクスルピンが設けられておらず、バネ要素１６は損傷することなくそのような付加的な伸びを受容するように構成されているので、眼鏡ヒンジ５０は、これにより損傷を受けず及び／又は永久変形しない。その代わりに、眼鏡ヒンジ５０は、バネ要素１６によって互いに張力をかけられているヒンジ部１２，１４に起因して、真っ直ぐな面３６上で再び自動的に調整される。２つのヒンジ部１２，１４はストッパー２８に接しながら転動し、ヒンジ部１２，１４のどの領域もそれに対応して許容し得ない負荷を受けないので、そのような乱用的な荷重は、眼鏡ヒンジ５０によって容易に受容され得る。
【０１６９】
図１９は、過剰に伸長された位置にある眼鏡ヒンジ５０を示す。２つのヒンジ部１２，１４は、ここでは、使用位置を超えて矢印６４の方向に互いに離れるように移動されており、この運動は、依然として、収納位置と使用位置との間の運動平面内で行われている。このような過剰伸長は、例えば、眼鏡を装着した状態で枕の上に頭部を横向きに載せることによって生じ得る。認識され得るように、２つのヒンジ部１２，１４は、この場合、ストッパー５２において互いに接しながら転動し、一方、それぞれの真っ直ぐな面３６は互いに離れる。特に、ヒンジ部１２の楔形の領域６６は、ストッパー５２に形成されたヒンジ部１４の対応する凹部６８上を横滑りする。バネ要素１６は、その後も溝３４の底部に接触し続け、したがって、収納位置に対して更に引き伸ばされる。それにより、過剰伸展を引き起こす力が終了した後に眼鏡ヒンジ５０を再び使用位置へ自動的に位置調整する、付加的な復元力が生じる。それに応じて、眼鏡ヒンジ５０は、過剰伸展による損傷からも保護されており、そのような乱用的な荷重の後にメンテナンスを必要としないため、取り扱いが容易である。
【０１７０】
眼鏡ヒンジ５０が、楔形の領域６６が対応する凹部６８から完全に滑り出る程度に過剰に伸展されると、更に眼鏡ヒンジ５０の負荷が付加的に軽減される。この場合、ヒンジ部１２は、ヒンジ部１４から、ほとんど離脱することができる。それにより、バネ要素は、この点から伸びが少なくなり始め、その結果、ヒンジ部１２，１４の、特にストッパー５０のヒンジ部１４のうち溝３４とは反対側の壁厚の薄い領域の負荷、並びに、バネ要素１６自体の負荷が、減少する。そのような状態は、部分的に緩んだヒンジ接続として理解することもできる。なぜなら、２つのヒンジ部１２，１４は、更に過剰に伸展される場合、もはや実質的に転動領域２２及び収容領域２４と接触しておらず、したがって、更に過剰に伸展される場合、もはや実質的に互いに接して転動及び／又は摺動しないからである。
【０１７１】
それにより、２つのヒンジ部１２，１４のうち溝３４とは反対側のそれぞれの外側が、少なくとも部分的に互いに接触するまで、損傷することなく眼鏡ヒンジ５０を大きく曲げ開くことが可能である。バネ要素１６のプリテンション及びヒンジ部１２，１４の幾何学的形状に応じて、部分的に緩んだヒンジ接続を再び手動で接続することが、場合によっては必要である。これは、例えば、２つのヒンジ部１２，１４のうちの一方を使用位置の方向に逆回転させることにより行うことができ、楔形の領域６６は対応する凹部６８に通される。その後にも、眼鏡ヒンジ５０は再び自然に調整される。それに応じて、この部分的に手動の接続は、眼鏡技師、工具及び／又は付加的な訓練の助けを借りずに、眼鏡所有者によって直感的に実行することもできる。
【０１７２】
図２０は、運動平面から上方に回転された使用位置にある眼鏡ヒンジ５０を示す。２つのヒンジ部１２，１４は、ここでは、収納位置と使用位置との間の直接的な接続、又は、これらの位置の間での旋回運動によって定義され得る運動平面から、上方へ矢印７０の方向に移動された。そのような曲がりは、例えば、使用位置においてテーブル上に置かれた眼鏡に、誤って負荷をかけることにより生じ得る。
【０１７３】
認識され得るように、２つのヒンジ部１２，１４は、この場合、上縁部において互いに接しながら転動し、一方、それぞれの真っ直ぐな面３６は新たに互いに離れる。バネ要素１６は、その後も溝３４の底部に接触し続け、したがって、使用位置に対して更に引き伸ばされる。それにより、曲がりを引き起こす力が終了した後に眼鏡ヒンジ５０を再び使用位置へ自動的に位置調整する、付加的な復元力が生じる。それに応じて、眼鏡ヒンジ５０は、運動平面からの曲がりによる損傷からも保護されており、そのような乱用的な荷重の後にメンテナンスを必要としないため、取り扱いが容易である。
【０１７４】
そのような曲がりは、既に記述された過剰伸展及び過剰圧縮と組み合わせられた状態でも、眼鏡ヒンジ５０が損傷を受けることなく生じ得る。同様に、代替的に又は付加的に、２つのヒンジ部１２，１４の引き離し、及び／又は、主延在方向によって予め決定され得る及び／又は運動平面内に存在し得る長手軸の周りでのそれぞれのヒンジ部１２，１４の回転も、眼鏡ヒンジ５０が損傷を受けることなく行い得る。全ての場合において、バネ要素１６は更に引き伸ばすことができ、その結果、復元力も、運動平面内における開始位置への自動的な復帰、及び、２つのヒンジ部１２，１４の、特に収納位置又は使用位置への正確な方向付けを引き起こす。
【０１７５】
言うまでもなく、それぞれのヒンジ部１２，１４を有する他の実施形態（眼鏡ヒンジ１０，１００，１５０）も、眼鏡ヒンジ５０と同様に、損傷を受けることなく、過剰に伸長され、過剰に圧縮され、曲げられ、引き離され及び／又は回転されることができる。特に、ヒンジ部１２，１４は、そこでも、再び自動的に開始位置に戻ることができる。
【０１７６】
図２１は、眼鏡ヒンジ２００の別の実施形態を、概略的な斜視図で示している。眼鏡ヒンジ２００は、眼鏡ヒンジ１０、５０及び１００と基本的に同様の機能及び構造を有する。例えば複数のバネ要素を設けるなど、これらの実施形態のそれぞれの特徴は、眼鏡ヒンジ２００の実施形態においても設けることができる。先に示した眼鏡ヒンジ１０、５０及び１００とは異なり、眼鏡ヒンジ２００のそれぞれのピン状及び／又はフック状の保持要素２１８は、実質的に運動平面内を延びておらず、それぞれのバネ要素１６，１０２，１０４のリング形状によって定義される平面も、運動平面に対して垂直に延びていない。その代わりに、それぞれのピン状及び／又はフック状の保持要素２１８は、眼鏡ヒンジ２００の運動平面に対して斜めに、この場合は実質的に垂直に延びており、眼鏡ヒンジ２００のバネ要素２１６のリング形状によって定義される平面は、実質的に運動平面に対して平行に、この場合は運動平面内を延びている。
【０１７７】
保持要素２１８のこの配向により、眼鏡ヒンジ２００は、特に上下方向において平坦であることができ、当該上下方向は、図２１及び図２２において二重矢印２２０によって示されていると共に、眼鏡ヒンジ２００を有する眼鏡を装着する際の上下方向に対応する。バネ要素が上下方向において必要とする組み立てスペースは、もはや、保持要素２１８の周り巻き付けられたバネ要素により形成される輪の半径の２倍には対応せず、実質的に環状のバネ要素２１６自体の直径のみに対応する。それに応じて、眼鏡ヒンジ２００は、この方向においてより平坦に形成することができる。
【０１７８】
更に、図２１において特に良好に認識され得るように、保持要素２１８は、バネ要素２１６を通すために反対方向に開いている。例えば、図２１の左側に示された保持要素２１８では、バネ要素２１６は下側からのみ引き上げることができ、右側に示された保持要素２１８では、上側からのみ引き上げることができる。対照的に、それぞれの他の方向には、この場合はそれぞれの保持要素２１８と一体に形成されたそれぞれのヒンジ部が、ストッパーを形成している。それにより、例えば対応する眼鏡の着脱時に、平坦な構造の眼鏡ヒンジ２００において、バネ要素２１８が不注意により滑り落ちたり外れたりすることが確実に防止される。それにより、眼鏡ヒンジ２００は、意図せず容易に分解される可能性もない。
【０１７９】
眼鏡ヒンジ２００の運動平面は、図２１を図２２と比較することによって良好に認識することができ、そこでは、それぞれ破線２２２で示されている。図２１は使用位置にある眼鏡ヒンジ２００を、図２２は収納位置にある眼鏡ヒンジ２００を、それぞれ概略的な斜視図で示しており、これら２つの位置の間の運動は、運動平面を定義する。運動平面は、この場合、矢印２２０によって示された上下方向に対して垂直に延びている。特に、運動平面は、ここでは、バネ要素２１６のリング形状によって形成された平面内にあり、逆もまた同様である。
【０１８０】
図２３は、残りの図に示された全ての眼鏡ヒンジ１０、５０、１００及び２００について、眼鏡フレーム３０２の眼鏡テンプル３００が、それぞれの眼鏡ヒンジを損傷することなく、眼鏡フレーム３０２のリム３０４に対してどのように移動され得るかを、概略的な斜視図で示している。２つの眼鏡テンプル３００のうちの一方は、収納位置において示されている。他方の眼鏡テンプル３００は、使用位置において示されており、更に、この位置からの可能な偏向を示す矢印３０６も示されている。更に、この眼鏡テンプル３００の例示的な位置が示されており、当該位置において、眼鏡ヒンジは損傷を受けず、眼鏡テンプル３０６も自動的に使用位置に戻る。
【０１８１】
図２３には、それに加えて、そこに示される眼鏡ヒンジの収容領域を形成する摺動層又は摺動片３０８が示されている。摺動層又は摺動片３０８は、そのために、異なる領域において厚さが異なっており、摺動層３０８が塗布される表面の形状とは独立した３次元的に成形された表面を形成している。この場合、摺動層３０８は、例えばプラスチック部品として形成されている。摺動層３０８は、２つのヒンジ部の間の中間部材と見なすこともできる。摺動層３０８は、その他の眼鏡テンプル３００に接着されており、摩耗に対して特に頑丈であり、リム３０４の対応する転動領域上を特に良好に摺動する。それにより、図示された眼鏡は、収納位置と使用位置との間で特に容易に位置調整可能である。摺動層３０８が摩耗した場合、眼鏡テンプル３００を完全に交換する必要なく、摺動層を交換することもできる。
【０１８２】
摺動層３０８は、例えば、この場合のように中実に形成されていなくてもよく、収容領域又は転動領域に容易に差し込むことができる薄いスリーブ状の要素として形成されていてもよい。この場合、摺動層３０８は、摺動スリーブと称することもできる。摺動層３０８は、実質的に一定の厚さを有する薄い層として形成することもでき、その形状は、その下に位置するヒンジ部の形状、特にそこに成形される収容領域又は転動領域に対応する。
【符号の説明】
【０１８３】
１０    眼鏡ヒンジ
１２    第１のヒンジ部
１４    第２のヒンジ部
１６    バネ要素
１８    保持要素
２０    アンダーカット
２２    転動領域
２４    収容領域
２６    矢印
２８    ストッパー
３０    矢印
３２    領域
３４    溝
３６    真っ直ぐな面
５０    眼鏡ヒンジ
５２    ストッパー
５４    アンダーカット
５６    中間ギャップ
５８    破線
６０    破線
６２    矢印
６４    矢印
６６    楔形の領域
６８    凹部
７０    矢印
１００  眼鏡ヒンジ
１０２  バネ要素
１０４  バネ要素
１０６  凹部
１０８  窪み
１１０  ストッパー
１１２  領域
１１４  接触面
２００  眼鏡ヒンジ
２１６  バネ要素
２１８  保持要素
２２０  二重矢印
２２２  破線
３００  眼鏡テンプル
３０２  眼鏡フレーム
３０４  リム
３０６  矢印
３０８  摺動層
【図１】
2020533651.tif 000003
【図２】
2020533651.tif 000004
【図３】
2020533651.tif 000005
【図４】
2020533651.tif 000006
【図５】
2020533651.tif 000007
【図６】
2020533651.tif 000008
【図７】
2020533651.tif 000009
【図８】
2020533651.tif 000010
【図９】
2020533651.tif 000011
【図１０】
2020533651.tif 000012
【図１１】
2020533651.tif 000013
【図１２】
2020533651.tif 000014
【図１３】
2020533651.tif 000015
【図１４】
2020533651.tif 000016
【図１５】
2020533651.tif 000017
【図１６】
2020533651.tif 000018
【図１７】
2020533651.tif 000019
【図１８】
2020533651.tif 000020
【図１９】
2020533651.tif 000021
【図２０】
2020533651.tif 000022
【図２１】
2020533651.tif 000023
【図２２】
2020533651.tif 000024
【図２３】
2020533651.tif 000025
【国際調査報告】
2020533651.tif 000026
2020533651.tif 000027
2020533651.tif 000028
2020533651.tif 000029
2020533651.tif 000030
2020533651.tif 000031
2020533651.tif 000032
2020533651.tif 000033
2020533651.tif 000034